(57)【特許請求の範囲】
【請求項１】
第１の光伝送装置と第２の光伝送装置との間でスーパーチャネルの光信号を送受信する光伝送システムであって、
前記第１の光伝送装置は、
前記スーパーチャネルの光信号に束ねられるサブキャリア毎の所定の伝送品質に対応した符号長の誤り訂正符号を主信号に付加することで、前記サブキャリア毎に第１の信号を生成し、
前記主信号の符号長に対する前記誤り訂正符号の符号長の比率である前記第１の信号についての冗長度が、前記サブキャリア毎に定めた所定の冗長度を超える場合に、前記第１の信号に付加された前記誤り訂正符号の内、前記所定の冗長度を超える部分を前記サブキャリア間で分配することで、前記所定の冗長度である第２の信号を前記サブキャリア毎に生成し、
前記所定の冗長度である第２の信号を含む前記サブキャリアが束ねられた前記スーパーチャネルの光信号を前記第２の光伝送装置へ送信し、
前記第２の光伝送装置は、
前記第１の光伝送装置から受信した、前記スーパーチャネルの光信号に束ねられた前記サブキャリア夫々の前記所定の冗長度である第２の信号の内、前記サブキャリア夫々について生成した前記第１の信号についての冗長度を超える部分を前記サブキャリア間で分配することで、前記第１の信号を前記サブキャリア毎に生成し、
前記第１の信号に含まれる前記誤り訂正符号を用いて前記サブキャリア毎に前記主信号を復号する、
光伝送システム。
【請求項２】
前記第１の光伝送装置は、
サブキャリア毎に主信号として既知信号を用いたスーパーチャネルの光信号を前記第２の光伝送装置へ送信し、
前記第２の光伝送装置は、
サブキャリア毎に主信号として既知信号を用いたスーパーチャネルの光信号を前記第１の光伝送装置から受信し、
前記サブキャリア毎に、既知信号についての前記誤り訂正符号が付加される前の伝送品質を測定し、
測定された前記伝送品質に従って、前記第１の信号を生成する際における前記第１の信号についての冗長度を前記サブキャリア毎に決定し、
前記サブキャリア毎に決定された前記冗長度を第１の光伝送装置へ送信し、
前記第１の光伝送装置は、
前記第２の光伝送装置から送信された前記冗長度を受信し、
前記第２の光伝送装置から受信した前記冗長度に従って、前記第１の信号を生成する際における前記第１の信号についての冗長度を前記サブキャリア毎に決定する、
請求項１に記載の光伝送システム。
【請求項３】
前記第１及び第２の光伝送装置は、前記光伝送システムのネットワーク情報を用いて計算された、前記第１の信号を生成する際における前記第１の信号についての冗長度を前記サブキャリア毎に予め取得する、
請求項１に記載の光伝送システム。
【請求項４】
前記第１及び第２の光伝送装置は、前記第１の信号のビット長と前記第２の信号のビット長との差分値に相当するビット幅を有するバスを用いて前記サブキャリア間での前記分配を実行する、
請求項１〜３の何れか一項に記載の光伝送システム。
【請求項５】
前記第１及び第２の光伝送装置は、複数の伝送品質に夫々対応して予め備えられた複数の冗長度の中から前記第１の信号を生成する際における前記第１の信号についての冗長度を選択する、
請求項１〜４の何れか一項に記載の光伝送システム。
【請求項６】
スーパーチャネルの光信号に束ねられるサブキャリア毎の所定の伝送品質に対応した符号長の誤り訂正符号を主信号に付加することで、前記サブキャリア毎に第１の信号を生成し、前記主信号の符号長に対する前記誤り訂正符号の符号長の比率である前記第１の信号についての冗長度が、前記サブキャリア毎に定めた所定の冗長度を超える場合に、前記第１の信号に付加された前記誤り訂正符号の内、前記所定の冗長度を超える部分を前記サブキャリア間で分配することで、前記所定の冗長度である第２の信号を前記サブキャリア毎に生成する誤り訂正符号化回路を含む、
光伝送装置。
【請求項７】
スーパーチャネルの光信号に束ねられるサブキャリア毎の所定の伝送品質に対応した符号長の誤り訂正符号を主信号に付加することで、前記サブキャリア毎に第１の信号を生成し、
前記主信号の符号長に対する前記誤り訂正符号の符号長の比率である前記第１の信号についての冗長度が、前記サブキャリア毎に定めた所定の冗長度を超える場合に、前記第１の信号に付加された前記誤り訂正符号の内、前記所定の冗長度を超える部分を前記サブキャリア間で分配することで、前記所定の冗長度である第２の信号を前記サブキャリア毎に生成する、
光伝送装置が実行する伝送方法。
【発明の詳細な説明】
【技術分野】
【０００１】
本発明は、光伝送システム、光伝送装置、及び伝送方法に関する。
【背景技術】
【０００２】
光波長多重伝送システムにおいて伝送容量を向上させる技術の1つとして、スーパーチャネル伝送が挙げられる。スーパーチャネル伝送では、複数のサブキャリア（Sub carrier、SC）が仮想的に束ねられたスーパーチャネルが形成される。スーパーチャネルに束ねられる各サブキャリアに対してナイキスト波形整形等が行われることによって、隣接するサブキャリアの波長間隔は信号のボーレート近くまで狭められる。このため、スーパーチャネル伝送を用いれば帯域あたりの伝送容量は向上する。例えば、スーパーチャネルを用いない伝送では、16 quadrature amplitude modulation（QAM）といった多値変調が用いられた場合に帯域50 GHzあたり200Gbps程度の伝送が可能である。これに対して、スーパーチャネル伝送では、2つのサブキャリアが75 GHzの帯域に収められた場合に帯域75 GHzあたり400 Gbpsの伝送が可能である。したがって、上述した一例では、スーパーチャネル伝送が用いられた場合の帯域あたりの伝送容量は、スーパーチャネルが用いられない伝送と比較して1.3倍に向上する。スーパーチャネル伝送では、光合分波器（Optical Add/Drop Multiplexer、OADM）ノードにおける波長分岐及び挿入等のオペレーションは、スーパーチャネル単位で行われる。スーパーチャネルに束ねられるサブキャリアは、2波以上であり、OADMにおける合波・分波に用いられるフィルタ帯域の制約から例えば最大4波程度である。
【０００３】
なお、次のような光伝送装置が知られている。すなわち、光直交周波数多重伝送方式による光伝送装置は、入力されたペイロードをn（2以上の整数）個に分割し、分割されたn個のペイロードに異なる訂正能力を備える前方誤り訂正符号を付与し、前方誤り訂正符号が付与されたn個のペイロードを合成する。ペイロード合成手段は、より訂正能力が高い前方誤り訂正符号が付与されたペイロードを、よりサブキャリアのパワーとノイズパワー密度の比（SNR）が低いサブキャリアに配置する。
【０００４】
また、次のような誤り訂正符号化方法が知られている。すなわち、入力データの重要度に応じて入力データの一定長ごとに異なる符号長の誤り訂正符号を付加し、誤り訂正符号の符号長に応じて異なる誤り訂正能力を有する誤り訂正符号化を行う。これにより、誤り訂正符号の符号長に応じた異なるパケット長の符号化データを生成する。
【先行技術文献】
【特許文献】
【０００５】
【特許文献１】特開２０１３−１９２０５４号公報
【特許文献２】特開平１１−１２７１３８号公報
【発明の概要】
【発明が解決しようとする課題】
【０００６】
発明が解決しようとする課題は、スーパーチャネルに束ねられる各サブキャリアの伝送品質のばらつきに関わらずスーパーチャネルの伝送性能を改善させることである。
【課題を解決するための手段】
【０００７】
実施形態の一側面に従えば、光伝送システムは、第１の光伝送装置と第２の光伝送装置との間でスーパーチャネルの光信号を送受信する。第１の光伝送装置は、スーパーチャネルの光信号に束ねられるサブキャリア毎の所定の伝送品質に対応した符号長の誤り訂正符号を主信号に付加することで、サブキャリア毎に第１の信号を生成する。第１の光伝送装置は、主信号の符号長に対する誤り訂正符号の符号長の比率である第１の信号についての冗長度が、サブキャリア毎に定めた所定の冗長度を超える場合に、第１の信号に付加された誤り訂正符号の内、所定の冗長度を超える部分をサブキャリア間で分配することで、所定の冗長度である第２の信号をサブキャリア毎に生成する。第１の光伝送装置は、所定の冗長度である第２の信号を含むサブキャリアが束ねられたスーパーチャネルの光信号を第２の光伝送装置へ送信する。第２の光伝送装置は、第１の光伝送装置から受信した、スーパーチャネルの光信号に束ねられたサブキャリア夫々の所定の冗長度である第２の信号の内、サブキャリア夫々について生成した第１の信号についての冗長度を超える部分をサブキャリア間で分配する。これにより、第２の光伝送装置は、第１の信号をサブキャリア毎に生成する。第２の光伝送装置は、第１の信号に含まれる誤り訂正符号を用いてサブキャリア毎に主信号を復号する。
【発明の効果】
【０００８】
一実施形態に従った光伝送システムによれば、スーパーチャネルに束ねられる各サブキャリアの伝送品質のばらつきに関わらずスーパーチャネルの伝送性能を改善させることができる。
【図面の簡単な説明】
【０００９】
【図１】実施形態に従った光伝送システムの例示的な構成図である。
【図２Ａ】実施形態に従った光伝送装置の例示的な構成図である。
【図２Ｂ】実施形態に従った光伝送装置の例示的な構成図である。
【図３】実施形態に従ったトランスポンダの例示的な構成図である。
【図４】実施形態に従った送信信号処理回路の例示的な構成図である。
【図５】実施形態に従った受信信号処理回路の例示的な構成図である。
【図６】実施形態に従った誤り訂正符号化回路の例示的な構成図である。
【図７】受信Q値が劣化する要因例の説明図である。
【図８】送受信信号の冗長度の説明図である。
【図９】誤り訂正符号がサブキャリア間で分配されない場合の各サブキャリアの信号の説明図である。
【図１０】誤り訂正符号がサブキャリア間で分配されない場合のスーパーチャネルの説明図である。
【図１１】誤り訂正符号がサブキャリア間で分配された場合の各サブキャリアの信号の説明図である。
【図１２】誤り訂正符号がサブキャリア間で分配された場合のスーパーチャネルの説明図である。
【図１３】実施形態に従った誤り訂正復号回路の例示的な構成図である。
【図１４】実施形態に従った誤り訂正符号化回路の第１の構成例である。
【図１５】第１の構成例におけるサブキャリア間の冗長度分配の説明図である。
【図１６】動作クロックの載せ替えを実行する誤り訂正符号化回路の構成例である。
【図１７】実施形態に従った誤り訂正復号回路の第１の構成例である。
【図１８】動作クロックの載せ替えを実行する誤り訂正復号回路の構成例である。
【図１９】実施形態に従った誤り訂正符号化回路の第２の構成例である。
【図２０】実施形態に従った誤り訂正復号回路の第２の構成例である。
【図２１Ａ】実施形態に従った誤り訂正符号化回路の第３の構成例である。
【図２１Ｂ】実施形態に従った誤り訂正符号化回路の第３の構成例である。
【図２２Ａ】実施形態に従った誤り訂正復号回路の第３の構成例である。
【図２２Ｂ】実施形態に従った誤り訂正復号回路の第３の構成例である。
【図２３】運用開始前に実行される冗長度設定処理の第１例のフロー図である。
【図２４】実施形態に従った冗長度配分処理の例示的なフロー図である。
【図２５】実施形態に従った冗長度・伝送品質対応テーブルの例図である。
【図２６】運用開始前に実行される冗長度設定処理の第２例のフロー図である。
【図２７】運用開始前に実行される冗長度設定処理の第３例のフロー図である。
【図２８】運用中に実行される冗長度設定処理の第１例のフロー図である。
【図２９】実施形態に従った冗長度再配分処理の例示的なフロー図である。
【図３０】運用中に実行される冗長度設定処理の第２例のフロー図である。
【発明を実施するための形態】
【００１０】
以下図面を参照しながら、発明を実施するための形態を説明する。
【００１１】
＜実施形態に従った光伝送システムの構成例＞
図１は、実施形態に従った光伝送システムの例示的な構成図である。図１に示す一例では、光伝送システム１は、OADMノード２−１及び２−２と、1つ以上の中継ノード３とを含む。OADMノード２−１及びOADMノード２−２は、１つ以上の中継ノード３を介して双方向に接続する。
【００１２】
OADMノード２−１及び２−２は、実施形態に従った光伝送装置の一例である。図２Ａ及び図２Ｂを参照しながら後述するように、光伝送装置は、光信号の送受信ユニットであるトランスポンダを含む。光伝送装置は、トランスポンダから光ケーブルである伝送路へ所定の光信号を挿入（Add）し、伝送路からトランスポンダへ所定の光信号を分岐（Drop）を行う。中継ノード３は、インライン増幅器（In-Line Amplifier、ILA）と称される光増幅器を含み、伝送路上の光信号の電力を増幅する。
【００１３】
なお、図１は、実施形態に従った光伝送システムの構成例にすぎない。例えば、光伝送システム１には、3つ以上のOADMノードが含まれてよく、3つ以上のOADMノードは、中継ノード３を介して相互に接続されてよい。
【００１４】
＜実施形態に従った光伝送装置の構成例＞
図２Ａ及び図２Ｂは、実施形態に従った光伝送装置の例示的な構成図である。光伝送装置２は、図１に示すOADMノード２−１及び２−２に対応する。
【００１５】
図２Ａ及び図２Ｂに示す構成例では、光伝送装置２は、制御回路２１（１）及び２１（２）、光アッテネータ（attenuator、ATT）２２（１）及び２２（２）、並びにプリアンプ（Pre-Amplifier、Pre AMP）２３（１）及び２３（２）を含む。光伝送装置２は、光分岐スイッチ２４（１）及び２４（２）、光挿入スイッチ３０（１）及び３０（２）、並びにポストアンプ３１（１）及び３１（２）を更に含む。光伝送装置２は、光アンプ（AMP）２５（１）−１〜２５（１）−ｎ及び２５（２）−１〜２５（２）−ｎ、並びに光カプラ（coupler、CPL）２６（１）−１〜２６（１）−ｎ及び２６（２）−１〜２６（２）−ｎを更に含む。光伝送装置２は、送受信装置であるトランスポンダ２７（Ａ）−１−１〜２７（Ａ）−ｎ−ｍ及び２７（Ｂ）−１−１〜２７（Ｂ）−ｎ−ｍを更に含む。光伝送装置２は、光カプラ（CPL）２８（１）−１〜２８（１）−ｎ及び２８（２）−１〜２８（２）−ｎ、並びに光アンプ（AMP）２９（１）−１〜２９（１）−ｎ及び２９（２）−１〜２９（２）−ｎを更に含む。光伝送装置２に含まれる上述の構成部品は、2方路のOADMに相当する。ただし、図２Ａ及び図２Ｂに示した光伝送装置２は、実施形態に従った光伝送装置の構成例にすぎない。実施形態に従った光伝送装置は、2よりも大きい方路数に対応したmulti-degreeのOADMを含むように構成されてもよい。
【００１６】
また、図２Ａ及び図２Ｂに示す構成例では、光伝送装置２は、第１の制御信号送受信器３２（１）及び３２（２）、並びに第２の制御信号送受信器３３（１）及び３３（２）を更に含む。第１の制御信号送受信器３２（１）及び３２（２）、並びに第２の制御信号送受信器３３（１）及び３３（２）は、Optical Supervisory Channel（OSC）といった制御信号を他の光伝送装置２との間で送受信するための装置である。
【００１７】
光伝送装置２の各構成部品に付された参照符号の内、記号“（１）”は、方路１（図面左の方路）から方路２（図面右の方路）へ光信号が伝送される第１の伝送方向を表す。また、記号“（２）”は、方路２から方路１へ光信号が伝送される第２の伝送方向を表す。参照符号の内、記号“（１）”又は記号“（２）”のみが異なる構成部品は、同じ機能を有する。例えば、光分岐スイッチ２４（１）及び光分岐スイッチ２４（２）は、同じ機能を有する。
【００１８】
また、光伝送装置２のトランスポンダに付された参照符号の内、記号“（Ａ）”及び“Ｂ”は、トランスポンダの２つのセットを表す。具体的には、トランスポンダ２７（Ａ）−１−１〜２７（Ａ）−ｎ−ｍは、第１の伝送方向の光信号に波長多重される特定波長の光信号を夫々送信し、第２の伝送方向の光信号から波長分離された特定波長の光信号を夫々受信するトランスポンダのセットである。また、トランスポンダ２７（Ｂ）−１−１〜２７（Ｂ）−ｎ−ｍは、第２の伝送方向の光信号に波長多重される特定波長の光信号を夫々送信し、第１の伝送方向の光信号から波長分離された特定波長の光信号を夫々受信するトランスポンダのセットである。なお、図２に示す構成例では、各トランスポンダは、送受信ユニットとして纏めて構成されているが、各トランスポンダは送信器及び受信器に分けて構成されてもよい。
【００１９】
更に、光伝送装置２の各構成部品に付された参照符号の内、記号“ｎ”は、光分岐スイッチ２４（１）又は２４（２）から分岐される波長分離多重（Wavelength Division Multiplexing、WDM）光信号の分岐数を表す２以上の整数である。或いは、記号“ｎ”は、光挿入スイッチ３０（１）又は３０（２）へ挿入される波長分離多重光信号の挿入数を表す２以上の整数である。また、記号“ｍ”は、光カプラ２６（１）−１〜２６（１）−ｎ及び２６（２）−１〜２６（２）−ｎにより夫々分岐される光信号の分岐数を表す２以上の整数である。或いは、記号“ｍ”は、光カプラ２８（１）−１〜２８（１）−ｎ及び２８（２）−１〜２８（２）−ｎにより夫々合波される光信号の合波数を表す２以上の整数である。
【００２０】
光伝送装置２において、第２の伝送方向の光信号に対する処理動作は、第１の伝送方向の光信号に対する処理動作と同様に説明可能である。そこで、以下では、第１の伝送方向の光信号に対する光伝送装置２の処理動作について説明する。
【００２１】
方路１において光伝送装置２に隣接する装置（例えば、中継ノード３）から送信された光信号は、光アッテネータ２２（１）に入力される。光アッテネータ２２（１）は、入力された光信号を所定の信号レベルに減衰する。光アッテネータ２２（１）から出力された光信号は、プリアンプ２３（１）に入力される。プリアンプ２３（１）は、入力された光信号の電力を増幅し、該光信号を光分岐スイッチ２４（１）へ出力する。
【００２２】
光分岐スイッチ２４（１）は、例えばWavelength Selectable Switch（WSS）及びArrayed Waveguide Grating（AWG）等である。光分岐スイッチ２４（１）は、プリアンプ２３（１）から出力された光信号から、ｎ個の分岐に含まれる個々の波長の光信号を選択する。光分岐スイッチ２４（１）により選択された各光信号は、対応する光アンプ２５（１）−１〜２５（１）−ｎにより夫々増幅された後、対応する光カプラ２６（１）−１〜２６（１）−ｎに夫々入力される。
【００２３】
光カプラ２６（１）−１〜２６（１）−ｎに入力される各光信号は、スーパーチャネルを単位とする光信号である。スーパーチャネルは、例えば、37.5 GHzのサブキャリアの光信号が2〜4波（ｎ＝2〜4）束ねられた光信号であってよい。光カプラ２６（１）−１〜２６（１）−ｎは、入力された光信号をｍ個のサブキャリアの光信号に夫々分岐する。光カプラ２６（１）−１〜２６（１）−ｎから夫々出力されたｍ個の光信号は、対応するトランスポンダに２７（Ｂ）−１−１〜２７（Ｂ）−ｎ−ｍに夫々入力される。
【００２４】
トランスポンダ２７（Ｂ）−１−１〜２７（Ｂ）−ｎ−ｍは、入力された光信号に対する受信処理を行い、クライアント信号を出力する。トランスポンダ２７（Ｂ）−１−１〜２７（Ｂ）−ｎ−ｍの受信処理の具体例は、図３等を参照しながら後述する。
【００２５】
トランスポンダ２７（Ａ）−１−１〜２７（Ａ）−ｎ−ｍは、入力されたクライアント信号に対する送信処理を行い、光信号を出力する。トランスポンダ２７（Ａ）−１−１〜２７（Ａ）−ｎ−ｍの送信処理の具体例は、図３等を参照しながら後述する。トランスポンダ２７（Ａ）−１−１〜２７（Ａ）−ｎ−ｍから夫々出力される光信号は、ｎ個のスーパーチャネルの内の対応するスーパーチャネルに束ねられるサブキャリアに対応し、対応する光カプラ２８（１）−１〜２８（１）−ｎに入力される。
【００２６】
光カプラ２８（１）−１〜２８（１）−ｎは、入力されたｍ個の光信号を合波することで、スーパーチャネルを単位とする光信号を夫々生成する。光カプラ２８（１）−１〜２８（１）−ｎから出力された各光信号は、対応する光アンプ２９（１）−１〜２９（１）−ｎにより夫々増幅された後、光挿入スイッチ３０（１）に入力される。
【００２７】
光挿入スイッチ３０（１）は、例えばWSS及びAWG等である。光挿入スイッチ３０（１）は、入力されたｎ個の光信号を多重する。光挿入スイッチ３０（１）から出力された光信号は、ポストアンプ３１（１）により増幅された後、方路２において光伝送装置２に隣接する装置（例えば、別の中継ノード３）へ送信される。
【００２８】
また、方路１に存在する別の光伝送装置２から送信された制御信号は、光アッテネータ２２（１）を介して第１の制御信号送受信器３２（１）により受信される。受信された制御信号の宛先が第１の伝送方向の光信号の処理動作を制御する制御回路２１（１）である場合、第１の制御信号送受信器３２（１）は、受信された制御信号を制御回路２１（１）へ送信する。受信された制御信号の宛先が第２の伝送方向の光信号の処理動作を制御する制御回路２１（２）である場合、第１の制御信号送受信器３２（１）は、受信された制御信号を第２の制御信号送受信器３３（２）を介して制御回路２１（２）へ送信する。受信された制御信号の宛先が方路２に存在する別の光伝送装置２である場合、第１の制御信号送受信器３２（１）は、受信された制御信号を第２の制御信号送受信器３３（１）へ送信する。第２の制御信号送受信器３３（１）は、受信された制御信号を方路２に存在する別の光伝送装置２へ向けて送信する。
【００２９】
制御回路２１（１）は、第１の伝送方向の信号に対して上述の処理を行う各構成部品の処理動作を制御する。図を簡明にするために示していないが、制御回路２１（１）は、第１の伝送方向の信号に対して上述の処理を行う各構成部品と接続する。
【００３０】
第２の伝送方向の光信号に対する処理動作は、第１の伝送方向の光信号に対する上述の処理動作と同様である。なお、第２の伝送方向の光信号に対する処理動作では、トランスポンダに２７（Ａ）−１−１〜２７（Ａ）−ｎ−ｍは、入力された光信号に対する受信処理を行う。トランスポンダ２７（Ｂ）−１−１〜２７（Ｂ）−ｎ−ｍは、入力されたクライアント信号に対する送信処理を行う。
【００３１】
トランスポンダ２７（Ａ）−１−１〜２７（Ａ）−ｎ−ｍ及び２７（Ｂ）−１−１〜２７（Ｂ）−ｎ−ｍの構成及び処理動作の一例を図３を参照しながら説明する。
【００３２】
＜実施形態に従ったトランスポンダの構成例＞
図３は、実施形態に従ったトランスポンダの例示的な構成図である。図３において、光カプラ２６は、光カプラ２６（１）−１〜２６（１）−ｎ及び２６（２）−１〜２６（２）−ｎの一例である。光カプラ２８は、光カプラ２８（１）−１〜２８（１）−ｎ及び２８（２）−１〜２８（２）−ｎの一例である。例えば、光カプラ２６が光カプラ２６（２）−１〜２６（２）−ｎに相当する場合、光カプラ２８は、光カプラ２８（１）−１〜２８（１）−ｎに相当する。
【００３３】
また、図３において、トランスポンダ２７−１及び２７−２は、分岐数（挿入数）ｎ及び分岐数（合波数）ｍの値を夫々2（ｎ＝ｍ＝2）とした場合におけるトランスポンダ２７（Ａ）−１−１〜２７（Ａ）−ｎ−ｍ及び２７（Ｂ）−１−１〜２７（Ｂ）−ｎ−ｍの一例である。例えば、光カプラ２６が光カプラ２６（２）−１〜２６（２）−ｎに相当する場合、トランスポンダ２７−１及び２７−２は、トランスポンダ２７（Ａ）−１−１〜２７（Ａ）−ｎ−ｍに相当する。
【００３４】
図３に示した一例では、トランスポンダ２７−１によりサブキャリア（SC）１の光信号が送受信され、トランスポンダ２７−１によりサブキャリア（SC）２の光信号が送受信される。トランスポンダ２７−１から送信されたサブキャリア（SC）１の光信号と、トランスポンダ２７−２から送信されたサブキャリア（SC）２の光信号は、光カプラ２８により合波され、2つのサブキャリアが束ねられたスーパーチャネルの光信号が生成される。また、スーパーチャネルの光信号は、光カプラ２６によりサブキャリア（SC）１の光信号及びサブキャリア（SC）２の光信号に分岐される。そして、サブキャリア（SC）１の光信号はトランスポンダ２７−１により受信され、サブキャリア（SC）２の光信号はトランスポンダ２７−２により受信される。
【００３５】
トランスポンダ２７−１は、フレーマ２７１−１−１及び２７１−１−２、送信信号処理回路２７２−１、デジタル・アナログ変換器（Digital Analog Converter、DAC）２７３−１を含む。トランスポンダ２７−１は、光変調器２７４−１、レーザーダイオード（Laser Diode、LD）２７５−１、光復調器２７６−１、レーザーダイオード（LD）２７７−１を更に含む。トランスポンダ２７−１は、アナログ・デジタル変換器（Analog Digital Converter、ADC）２７８−１、及び受信信号処理回路２７９−１を含む。
【００３６】
トランスポンダ２７−２は、トランスポンダ２７−１と同様の構成部品を含む。すなわち、トランスポンダ２７−２は、フレーマ２７１−２−１及び２７１−２−２、送信信号処理回路２７２−２、デジタル・アナログ変換器（DAC）２７３−２を含む。トランスポンダ２７−２は、光変調器２７４−２、レーザーダイオード（LD）２７５−２、光復調器２７６−２、レーザーダイオード（LD）２７７−２を更に含む。トランスポンダ２７−２は、アナログ・デジタル変換器（ADC）２７８−２、及び受信信号処理回路２７９−２を含む。
【００３７】
トランスポンダ２７−２の処理動作は、トランスポンダ２７−１の処理動作と同様に説明可能である。そこで、以下では、トランスポンダ２７−１の処理動作について説明する。
【００３８】
トランスポンダ２７−１において、送信対象の各クライアント信号はフレーマ２７１−１−１及び２７１−１−２に入力される。各クライアント信号の伝送速度は、例えば100 Gbpsである。フレーマ２７１−１−１及び２７１−１−２は、入力されたクライアント信号を所定形式のフレームに夫々変換し、送信信号処理回路２７２−１へ送信する。所定形式のフレームの一例としては、Optical Transport Network（OTN）フレームが挙げられる。
【００３９】
送信信号処理回路２７２−１は、フレーマ２７１−１−１及び２７１−１−２から受信した各フレームに含まれるペイロードを抽出する。抽出されるペイロードは、例えばOTUフレームに含まれるOptical Data Unit（ODU）である。送信信号処理回路２７２−１は、抽出された各ペイロードを多重化し、より高次のフレームの主信号を生成する。より高次のフレームは、例えばOTUフレームが多重化された高次のOTUフレームである。生成される主信号は、例えば高次のOTUフレームに含まれるOptical Data Unit（ODU）であり、所定のビット長の情報ビットを含む。送信信号処理回路２７２−１は、Forward Error Correction（FEC）といった誤り訂正符号をオーバヘッドと共に主信号に付加することで、送信信号を生成し、生成された送信信号をデジタル・アナログ変換器２７３−１へ出力する。
【００４０】
デジタル・アナログ変換器２７３−１は、送信信号処理回路２７２−１から出力された送信信号をデジタルからアナログに変換する。光変調器２７４−１は、レーザーダイオード２７５−１からの出力光を、デジタル・アナログ変換器２７３−１によりアナログに変換された送信信号によって変調することで、光信号を生成する。レーザーダイオード２７５−１は半導体レーザの一例である。生成された光信号の伝送速度は、例えば200 Gbpsである。光変調器２７４−１により生成された光信号は、光ケーブルを介して光カプラ２８に入力される。
【００４１】
また、光カプラ２６から出力された光信号は、光ケーブルを介して光復調器２７６−１に入力される。光復調器２７６−１は、レーザーダイオード２７７−１からの出力光を用いて光信号を復調し、電気信号を出力する。レーザーダイオード２７７−１は半導体レーザの一例である。アナログ・デジタル変換器２７８−１は、光復調器２７６−１から出力された電気信号をアナログからデジタルに変換する。
【００４２】
受信信号処理回路２７９−１は、誤り訂正符号を用いて、デジタルに変換された電気信号から高次のフレームの主信号を復号する。そして、受信信号処理回路２７９−１は、復号された主信号から低次の各フレームを抽出し、抽出された低次の各フレームを対応するフレーマ２７１−１−１及び２７１−１−２へ送信する。フレーマ２７１−１−１及び２７１−１−２は、抽出された低次のフレームからクライアント信号を抽出し、抽出されたクライアント信号を出力する。
【００４３】
なお、図３は、実施形態に従ったトランスポンダの例示的な構成例にすぎない。例えば、挿入数）ｎ及び分岐数（合波数）ｍの値は2に限られず、3以上であってもよい。また、各トランスポンダが送受信対象とするクライアント信号の数は任意であってよい。
【００４４】
＜実施形態に従った送信信号処理回路及び受信信号処理回路の構成例＞
次に、実施形態に従った送信信号処理回路及び受信信号処理回路の構成及び処理動作の一例を説明する。
【００４５】
図４は、実施形態に従った送信信号処理回路の例示的な構成図である。図４に示す送信信号処理回路２７２は、送信信号処理回路２７２−１及び２７２−２に相当する。送信信号処理回路２７２は、誤り訂正符号化回路５及び予等化回路６を含む。
【００４６】
誤り訂正符号化回路６は、所定形式のフレームに含まれる主信号にFECといった誤り訂正符号を付加する。前述したように、主信号は、例えばOTUフレームに含まれるOptical Data Unit（ODU）であり、所定のビット長の情報ビットを含む。予等化回路６は、主信号に誤り訂正符号が付加された送信信号に対して、波長分散の補償、周波数オフセットの補償、並びにデジタル・アナログ変換器や光変調器の入出力特性の補償等を行う。
【００４７】
図５は、実施形態に従った受信信号処理回路の例示的な構成図である。図５に示す受信信号処理回路２７９は、受信信号処理回路２７９−１及び２７９−２に相当する。受信信号処理回路２７９は、等化回路７、搬送波位相復元回路８、及び誤り訂正復号回路９を含む。
【００４８】
等化回路７は、入力されたデジタルの受信信号に対して、波長分散の補償、周波数オフセットの補償、偏波モード分散の補償、及び非線形光学効果による波形歪みの補償等を行う。搬送波位相復元回路８は、等化回路７から出力された信号から、同相(In-phase、I)軸及び直交位相(Quadrature、I)軸で表される信号（シンボル）を復元する。誤り訂正復号回路９は、誤り訂正符号を用いて、搬送波位相復元回路８により復元された信号から主信号を復号する。
【００４９】
＜実施形態に従った誤り訂正符号化回路及び誤り訂正復号回路の構成例＞
実施形態に従った誤り訂正符号化回路及び誤り訂正復号回路の構成及び処理動作の一例を以下に説明する。
【００５０】
＜＜実施形態に従った誤り訂正符号化回路の構成例＞＞
まず、実施形態に従った誤り訂正符号化回路の構成及び処理動作の一例を図６〜図１２を参照しながら説明する。
【００５１】
図６は、実施形態に従った誤り訂正符号化回路の例示的な構成図である。図６に示す誤り訂正符号化回路５−１及び５−２は、送信信号処理回路２７２に含まれる誤り訂正符号化回路５（図４）の一例である。また、誤り訂正符号化回路５−１は、サブキャリア（SC）１の送信信号を処理する送信信号処理回路２７２−１（図３）に含まれる誤り訂正符号化回路に相当する。誤り訂正符号化回路５−２は、サブキャリア（SC）2の送信信号を処理する送信信号処理回路２７２−２（図３）に含まれる誤り訂正符号化回路に相当する。
【００５２】
図６に示す一例では、誤り訂正符号化回路５−１は、誤り訂正符号化部５１−１、誤り訂正符号分配部５２−１、及び誤り訂正符号結合部５３−１を含む。同様に、誤り訂正符号化回路５−２は、誤り訂正符号化部５１−２、誤り訂正符号分配部５２−２、及び誤り訂正符号結合部５３−２を含む。
【００５３】
誤り訂正符号化部５１−１及び５１−２は、スーパーチャネルに束ねられる各サブキャリアの伝送品質に応じた符号長の誤り訂正符号を主信号に付加する。すなわち、誤り訂正符号化部５１−１は、サブキャリア１の伝送品質に応じた符号長の誤り訂正符号を主信号に付加し、誤り訂正符号化部５１−２は、サブキャリア２の伝送品質に応じた符号長の誤り訂正符号を主信号に付加する。実施形態に従った誤り訂正符号化部がスーパーチャネルに束ねられる各サブキャリアの伝送品質に応じて符号長の誤り訂正符号を主信号に付加する理由を以下に説明する。
【００５４】
スーパーチャネル伝送では、複数のサブキャリアが束ねられたスーパーチャネルが光パスを構成する。このため、スーパーチャネルの伝送性能は、束ねられる複数のサブキャリアの中で最も伝送品質が悪いサブチャネルによって制限される。例えば、400 Gbps (100 Gbpsのサブチャネル×4)といったスーパーチャネルのように、束ねられるサブキャリアの数が4である場合、図７に示すように、伝送条件に応じてサブチャネル間に受信Q値のばらつきが発生する。
【００５５】
図７は、受信Q値が劣化する要因例の説明図である。図７において、縦軸は電力であり、横軸は波長である。受信Q値は、受信された光信号の伝送品質の一例である。マーク「1」のレベル及びスペース「0」の各分布が標準偏差σ1、σ0のガウス分布である場合、Q値は、次の式(1)により定義される。
【００５６】
【数１】
0006492774.tif 000002
【００５７】
式(1)において、μ1は、マーク「1」のレベルの平均値であり、μ0は、スペース「0」のレベルの平均値である。なお、Bit Error Rate (BER)はQ値から次の式(2)により求められる。
【００５８】
【数２】
0006492774.tif 000003
【００５９】
式(2)において、erfcは相補誤差関数を表す。
【００６０】
スーパーチャネルに束ねられる複数のサブキャリアの内、スーパーチャネルの両端に位置するサブキャリア（例えば、図７のSC1及びSC4）は、光伝送装置のOADMに含まれる光分岐・挿入スイッチ（例えば、WSS又はAWG等）のパスバンド特性の影響を受ける。このため、パスバンド特性の影響によるQ値の劣化は、スーパーチャネルの中央付近に位置するサブキャリア（例えば、図７のSC2及びSC3）と比較してスーパーチャネルの両端に配置するサブキャリアにおいて大きくなる。
【００６１】
一方、スーパーチャネルに束ねられる複数のサブキャリアの内、スーパーチャネルの中央付近に位置するサブキャリア（例えば、図７のSC2及びSC3）は、隣接サブキャリア間のリニアクロストーク及び光ファイバ上での非線形光学効果(Cross Phase Modulation) の影響を受ける。このため、リニアクロストーク及び非線形光学効果の影響によるQ値の劣化は、スーパーチャネルの両端に配置するサブキャリアと比較してスーパーチャネルの中央付近に位置するサブキャリアにおいて大きくなる。
【００６２】
上述したパスバンド特性の影響によるQ値の劣化とリニアクロストーク及び非線形光学効果の影響によるQ値の劣化との何れが大きくなるかは、光伝送装置を含む光伝送システムの構成によって異なる。例えば、Point-to-Pointの光伝送システム等のように光伝送装置内のOADM段数が少なく、Non- zero Dispersion Shifted Fiber（NZ-DSF）といった非線形光学効果による波形劣化が大きい光ファイバが伝送路に用いられた光伝送システムを仮定する。こうした仮定の光伝送システムでは、サブキャリア間のリニアクロストークの影響によるQ値の劣化量は、パスバンド特性の影響によるQ値劣化量を上回る可能性がある。
【００６３】
このように、スーパーチャネルに束ねられる各サブキャリアの伝送品質は異なり得る。各チャネルの異なり得る伝送品質が所値以上に維持されるためには、スーパーチャネルは、伝送品質が悪いサブキャリアに合わせて伝送されることが望ましい。この結果、スーパーチャネルの伝送性能は、伝送品質が悪いサブチャネルによって制限される。
【００６４】
そこで、誤り訂正符号化部５１−１及び５１−２（図６）といった実施形態に従った誤り訂正符号化部は、スーパーチャネルに束ねられる各サブキャリアの伝送品質に応じて所望の符号長の誤り訂正符号を主信号に付加するように構成される。こうした構成によって、伝送品質が悪いサブキャリア対しては、より多くのビット数の誤り訂正符号が付加される。この結果、スーパーチャネルに束ねられる各サブキャリアの伝送品質のばらつきに関わらず、スーパーチャネルの伝送性能は改善される。
【００６５】
誤り訂正符号分配部５２−１及び５２−２は、処理対象のサブキャリアの主信号に付加された誤り訂正符号の内、所定の冗長度を超える符号部分を他のサブキャリアに分配する。図６に示した一例では、誤り訂正符号分配部５２−１は、誤り訂正符号化部５１−１によってサブキャリア１の主信号に付加された誤り訂正符号の内、所定の冗長度を超える符号部分をサブキャリア2を処理対象とする誤り訂正符号結合部５３−２へバス１０−１を介して送信する。また、誤り訂正符号分配部５２−２は、サブキャリア2の主信号に付加された誤り訂正符号の内、所定の冗長度を超える符号部分をサブキャリア１を処理対象とする誤り訂正符号結合部５３−１へバス１０−２を介して送信する。所定の冗長度とは、スーパーチャネルに束ねられる各サブキャリアの送受信信号に対して予め決められた冗長度を指す。
【００６６】
図８は、送受信信号の冗長度の説明図である。主信号（情報ビット）のビット長をk、主信号に誤り訂正符号が付加された送信信号又は受信信号の全ビット長をlとすると、送信信号又は受信信号の冗長度は、次の式(3)で表される。
【００６７】
【数３】
0006492774.tif 000004
【００６８】
なお、実施形態において符号化率は、次の式(4)で表される。
【００６９】
【数４】
0006492774.tif 000005
【００７０】
処理対象のサブキャリアの主信号に付加された誤り訂正符号の内、所定の冗長度を超える符号部分を、実施形態に従った誤り訂正符号分配部が他のサブキャリアに分配する理由を以下に説明する。
【００７１】
図９は、誤り訂正符号がサブキャリア間で分配されない場合の各サブキャリアの信号の説明図である。前述したように、伝送品質が悪いサブキャリアに対しては、伝送品質所値以上に改善するために符号長が長い誤り訂正符号が用いられる。そこで、誤り訂正符号がサブキャリア間で共有されない場合、伝送品質が悪いサブキャリアの主信号には、符号長が長い誤り訂正符号が付加される。図９に示す一例では、伝送品質が悪いサブキャリア（SC）1には、伝送品質がよいサブキャリア（SC）2と比較して符号長がより長い誤り訂正符号が主信号（情報ビット）に付加される。ペイロードである情報ビットの長さは所定の長さ（所定のビット数）に維持することが望ましいことから、誤り訂正符号の符号長を長くするためには、各サブキャリアにおける送受信信号のビットレートを上昇させることが望ましい。しかしながら、ビットレートを上昇させると、図１０に示すように、各サブキャリアの光スペクトル幅が広がって隣接サブキャリア間の干渉（図１０中の斜線部分）が発生し、スーパーチャネルの伝送性能が劣化する。図１０は、誤り訂正符号がサブキャリア間で分配されない場合のスーパーチャネルの説明図である。このように、スーパーチャネル伝送では、サブキャリア間隔を維持してスーパーチャネルの伝送品質を所値以上に保つために許容可能なビットレートの上限が存在する。例えば、75GHzの帯域に2波のサブキャリアが収容される場合、サブキャリア間隔は37.5GHzであることが望ましい。
【００７２】
そこで、誤り訂正符号分配部５２−１及び５２−２（図６）といった実施形態に従った誤り訂正符号分配部は、処理対象のサブキャリアの主信号に付加された誤り訂正符号の内、所定の冗長度を超える符号部分を、他のサブキャリアに分配する。なお、式(3)から理解し得るように、スーパーチャネルの伝送品質を保つために各サブキャリアの送受信信号に対して望ましい所定の冗長度は、主信号（情報ビット）の長さと、主信号に誤り訂正符号が付加された送受信信号の全ビット長とから算出可能である。主信号のビット長は、所定の長さに予め決定されてよい。送受信信号の全ビット長は、スーパーチャネルの伝送品質を保つために許容可能なビットレートの上限に対応して決定されてよい。
【００７３】
図１１は、誤り訂正符号がサブキャリア間で分配された場合の各サブキャリアの信号の説明図である。図１１に示す一例では、サブキャリア（SC）1の主信号に付加された誤り訂正符号の内、所定の冗長度を超える符号部分は、サブキャリア（SC）2に分配される。このように、実施形態に従った光伝送装置では、伝送品質が悪いサブキャリアに対する誤り訂正符号の内、所定の冗長度を超える符号部分が、伝送品質のよい他のサブキャリアに分配される。このため、各サブキャリアの送受信信号のビットレートは、スーパーチャネルの伝送品質を所値以上に保つために許容可能なビットレートの範囲内に抑えられる。図１２は、誤り訂正符号がサブキャリア間で分配された場合のスーパーチャネルの説明図である。各サブキャリアにおける送受信信号のビットレートが許容可能なビットレートの範囲内に抑えられるため、図１２に示すように、各サブキャリアの光スペクトル幅は、隣接するサブキャリア間隔以内に収まる。このため、隣接サブキャリア間に干渉は発生せず、スーパーチャネルの伝送性能の劣化は抑制される。このように、誤り訂正符号がサブキャリア間で分配されることで主信号に所望長の誤り訂正符号が付加された送受信信号の冗長度は抑制され、スーパーチャネルの伝送性能は改善される。
【００７４】
誤り訂正符号結合部５３−１及び５３−２は、他のサブキャリアの主信号に付加された誤り訂正符号の内、所定の冗長度を超える符号部分を、処理対象のサブキャリアの主信号に付加された誤り訂正符号に結合する。図６に示した一例では、誤り訂正符号結合部５３−１は、サブキャリア2の主信号に付加された誤り訂正符号の内、所定の冗長度を超える符号部分を誤り訂正符号分配部５２−２から受信する。そして、誤り訂正符号結合部５３−１は、受信した符号部分をサブキャリア1の主信号に付加された誤り訂正符号と結合することで、サブキャリア1の送信信号を生成する。同様に、誤り訂正符号結合部５３−２は、サブキャリア1の主信号に付加された誤り訂正符号の内、所定の冗長度を超える符号部分を誤り訂正符号分配部５２−１から受信する。そして、誤り訂正符号結合部５３−２は、受信した符号部分をサブキャリア2の主信号に付加された誤り訂正符号と結合することで、サブキャリア2の送信信号を生成する。このように、誤り訂正符号がサブキャリア間で分配されることで主信号に所望長の誤り訂正符号が付加された送受信信号の冗長度は抑制され、スーパーチャネルの伝送性能は改善される。
【００７５】
＜＜実施形態に従った誤り訂正復号回路の構成例＞＞
次に、実施形態に従った誤り訂正復号回路の構成及び処理動作の一例を図１３を参照しながら説明する。
【００７６】
図１３は、実施形態に従った誤り訂正復号回路の例示的な構成図である。図１３に示す誤り訂正復号回路９−１及び９−２は、受信信号処理回路２７９（図５）に含まれる誤り訂正復号回路９の一例である。また、誤り訂正復号回路９−１は、サブキャリア（SC）１の受信信号を処理する受信信号処理回路２７９−１（図３）内の誤り訂正復号回路に相当する。誤り訂正復号回路９−２は、サブキャリア（SC）2の受信信号を処理する受信信号処理回路２７９−２（図３）内の誤り訂正復号回路に相当する。
【００７７】
図１３に示す一例では、誤り訂正復号回路９−１は、伝送品質測定部９１−１、誤り訂正符号分配部９２−１、誤り訂正符号結合部９３−１、及び誤り訂正復号部９４−１を含む。同様に、誤り訂正復号回路９−２は、伝送品質測定部９１−２、誤り訂正符号分配部９２−２、誤り訂正符号結合部９３−２、及び誤り訂正復号部９４−２を含む。
【００７８】
伝送品質測定部９１−１及び９１−２は、誤り訂正符号が付加されていない受信信号の伝送品質を測定する。すなわち、伝送品質測定部９１−１は、サブキャリア（SC）1の受信信号の伝送品質（例えば、Q値）を測定する。伝送品質測定部９１−２は、サブキャリア（SC）2の受信信号の伝送品質（例えば、Q値）を測定する。
【００７９】
図２３〜図３０を参照しながら後述するように、伝送品質測定部９１−１及び９１−２により測定された伝送品質は、各サブキャリアに対して予め備えられた設定可能な複数の冗長度の中から所望の冗長度を決定するために用いられる。冗長度の決定は、実施形態に従った光伝送システムの運用前に行われてよい。また、冗長度の決定は、実施形態に従った光伝送システムの運用中に行われてよい。
【００８０】
各サブキャリアに対して予め備えられる設定可能な冗長度は、実施形態に従った光伝送システムの構成に応じて1つであってもよく、複数であってもよい。ただし、誤り訂正符号化部（例えば、誤り訂正符号化部５１−１又は５１−２）及び誤り訂正復号部（例えば、誤り訂正復号部９４−１又は９４−２）は、冗長度毎に備えられる。このため、過剰に多くの冗長度を備えようとすると、光伝送装置の回路規模の増加につながる。また、複数の異なる冗長度の誤り訂正符号を用いても、それらの冗長度を合計した冗長度の誤り訂正符号による伝送品質の改善効果は得られない。例えば、冗長度5 %に対応する誤り訂正符号化部及び誤り訂正復号部と、冗長度10 %に対応する誤り訂正符号化部及び誤り訂正復号部を組み合わせても、冗長度15 %に対応する誤り訂正符号化部及び誤り訂正復号部により得られるQ値の改善効果は得られない。そこで、選択可能な複数の冗長度が予め備えられる場合には、設定される可能性のある冗長度のみを用意し、その中から所望の冗長度が決定されるように誤り訂正符号化部及び誤り訂正復号部は構成されてよい。
【００８１】
誤り訂正符号分配部９２−１及び９２−２は、他のサブキャリアに対して分配された誤り訂正符号を、処理対象であるサブキャリアの受信信号から抽出する。抽出される誤り訂正符号は、他のサブキャリアの主信号に付加される誤り訂正符号の内、所定の冗長度を超える符号部分である。図１３に示した一例では、誤り訂正符号分配部９２−１は、サブキャリア（SC）2の主信号に付加される符号部分を抽出し、抽出された符号部分をサブキャリア2を処理対象とする誤り訂正符号結合部９３−２へバス１１−１を介して送信する。また、誤り訂正符号分配部９２−２は、サブキャリア（SC）1に付加される符号部分を抽出し、抽出された符号部分をサブキャリア1を処理対象とする誤り訂正符号結合部９３−１へバス１１−２を介して送信する。このように、誤り訂正符号がサブキャリア間で分配されることで主信号に所望長の誤り訂正符号が付加された送受信信号の冗長度は抑制され、スーパーチャネルの伝送性能は改善される。
【００８２】
誤り訂正符号結合部９３−１及び９３−２は、処理対象のサブキャリアの主信号に付加される誤り訂正符号の内、所定の冗長度を超える符号部分を受信信号に含まれる誤り訂正符号と結合する。図１３に示した一例では、誤り訂正符号結合部９３−１は、サブキャリア1の主信号に付加される誤り訂正符号の内、所定の冗長度を超える符号部分を誤り訂正符号分配部９２−２から受信する。そして、誤り訂正符号結合部９３−１は、受信した符号部分を受信信号に含まれる誤り訂正符号と結合することで、サブキャリア1の受信信号を生成する。同様に、誤り訂正符号結合部９３−２は、サブキャリア2の主信号に付加される誤り訂正符号の内、所定の冗長度を超える符号部分を誤り訂正符号分配部９２−１から受信する。そして、誤り訂正符号結合部９３−２は、受信した符号部分を受信信号に含まれる誤り訂正符号と結合することで、サブキャリア2の受信信号を生成する。誤り訂正符号結合部９３−１及び９３−２により結合された誤り訂正符号は、スーパーチャネルに束ねられる各サブキャリアの伝送品質に応じた符号長を有する。このため、スーパーチャネルに束ねられる各サブキャリアの伝送品質のばらつきに関わらず、スーパーチャネルの伝送性能は改善される。
【００８３】
誤り訂正復号部９４−１及び９４−２は、結合された誤り訂正符号を用いて、対応するサブキャリアの受信信号から主信号を復号する。
【００８４】
＜実施形態に従った誤り訂正符号化回路及び誤り訂正復号回路の具体的な構成例＞
実施形態に従った誤り訂正符号化回路及び誤り訂正復号回路のより具体的な構成例を図１４〜図２２Ｂを参照しながら以下に説明する。
【００８５】
＜＜実施形態に従った誤り訂正符号化回路及び誤り訂正復号回路の第１の構成例＞＞
まず、第１の構成例として、複数のサブチャネルが束ねられるスーパーチャネルにおいて、特定のサブチャネルの伝送品質の改善を図る回路の構成を図１４〜図１８を参照しながら説明する。
【００８６】
図１４は、実施形態に従った誤り訂正符号化回路の第１の構成例である。図１４には、サブキャリア（SC）1及びサブキャリア（SC）2がスーパーチャネルに束ねられる誤り訂正符号化回路の第１の構成例が示されている。誤り訂正符号化回路５´−１は、サブキャリア1に対応する主信号に誤り訂正符号を付加する回路であり、誤り訂正符号化回路５´−２は、サブキャリア2に対応する主信号に誤り訂正符号を付加する回路である。第１の構成例では、サブキャリア1に付加された誤り訂正符号の内、所定の冗長度を超える部分が第2のサブキャリアに分配されるように、誤り訂正符号化回路５´−１及び５´−２は構成される。
【００８７】
図１５は、第１の構成例におけるサブキャリア間の冗長度分配の説明図である。図１５において、N11及びN21は、所望の符号長の誤り訂正符号が情報ビット（主信号）に付加された送信信号の全ビット長を夫々表す。所望のビット長の誤り訂正符号とは、対応するサブキャリアの光信号が所定の伝送品質が得られる長さの誤り訂正符号を指す。
【００８８】
具体的には、サブキャリア1の信号について所定の伝送品質が得られるように、Kビットの情報ビット（主信号）に(N11-K)ビットの誤り訂正符号が付加される。すなわち、誤り訂正符号化回路５´−１において、符号化回路５１１−１は、送信信号の冗長度が(N11/K-1)となる誤り訂正符号をKビットの情報ビット（主信号）に付加する。符号化回路５１１−１は誤り訂正符号化部５１´−１の具体的な構成例である。
【００８９】
また、サブキャリア2の光信号について所定の伝送品質が得られるように、Kビットの情報ビット（主信号）に(N21-K)ビットの誤り訂正符号が付加される。すなわち、誤り訂正符号化回路５´−２において、符号化回路５１１−２は、送信信号の冗長度がN21/K-1となる誤り訂正符号をKビットの情報ビット（主信号）に付加する。符号化回路５１１−２は誤り訂正符号化部５１´−２の具体的な構成例である。
【００９０】
図１５において、Nは、各サブキャリアの送受信信号に対する所定のビット長であり、例えば、ビットレートの上昇に応じてスーパーチャネルの伝送品質を所値以上に保つために望ましい長さに決められる。図１５に示す一例では、Nは以下の式(5)で定義される。
【００９１】
【数５】
0006492774.tif 000006
【００９２】
図１５に示す一例では、サブキャリア1の送信信号の全ビット長N11は、各サブキャリアの送受信信号に対して望ましい全ビット長Nよりも長い。一方、サブキャリア2の送信信号の全ビット長N21は、各サブキャリアの送受信信号に対して望ましい全ビット長Nよりも短い。そこで、第１の構成例では、サブキャリア1に付加された(N11-K)の誤り訂正符号の内、各サブキャリアの送受信信号に対して望ましい所定の冗長度(N/K-1)を超える部分が第2のサブキャリアに分配される。
【００９３】
具体的には、誤り訂正符号化回路５´−１において、分配器５２１−１は、(N11-K)ビットの誤り訂正符号の内、所定の冗長度(N/K-1)を超える部分(N11-N)を誤り訂正符号化回路５´−２へバス１０´−１を介して分配する。分配器５２１−１は誤り訂正符号分配部５２´−１の具体的な構成例である。
【００９４】
また、誤り訂正符号化回路５´−２において、結合器５３１−２は、サブキャリア1に対して付加された誤り訂正符号の内、分配器５２１−１により分配された部分(N11-N)を、サブキャリア2に対して付加された誤り訂正符号と結合する。結合器５３１−２は誤り訂正符号結合部５３´−２の具体的な構成例である。
【００９５】
上述のように誤り訂正符号が分配されることで、サブキャリア1及びサブキャリア2の主信号に夫々付加される誤り訂正符号の符号長は(N-K)になる。この結果、主信号に所望長の誤り訂正符号が付加された場合であっても各サブチャネルの送受信信号の冗長度は抑制され、スーパーチャネルの伝送性能は改善される。
【００９６】
なお、図１４に示す構成例では、バス１０´−１のビット幅は、分配されるビット数(N11-N)に応じて割り振られる。こうしたビット幅の割り振りによって、スーパーチャネルに束ねられる各サブキャリアで誤り訂正符号の所望の符号長が異なることに起因して発生する動作クロックの乗せ替えが不要になる。
【００９７】
また、実施形態に従った誤り訂正符号化回路の具体的な構成によっては、First-In First-Out (FIFO)バッファ等を用いて動作クロックの載せ替えが行われてもよい。図１６は、動作クロックの載せ替えを実行する誤り訂正符号化回路の構成例である。図１６の構成例では、誤り訂正符号化回路５´−１及び５´−２は、第１のFIFOバッファ５４´−１及び５４´−２、並びに第２のFIFOバッファ５５´−１及び５５´−２を含む。第１のFIFOバッファ５４´−１及び５４´−２は、動作周波数1で処理される主信号（Kビットの情報ビット）から、所望の符号長の誤り訂正符号が付加された送信信号（N11及びN21ビットの送信信号）が生成及び出力される動作周波数2に変換するための回路である。第２のFIFOバッファ５５´−１及び５５´−２は、動作周波数2で処理される送信信号から、所定の冗長度を超える誤り訂正符号の部分がサブキャリア間で分配された送信信号（Nビットの送信信号）が生成及び出力される動作周波数3に変換するための回路である。図１６に示した一例では、動作周波数1、動作周波数、及び動作周波数3は、次の式(6)で示される関係を有する。
【００９８】
【数６】
0006492774.tif 000007
【００９９】
図１６に示したような構成によれば、バス１０´−１のビット幅は、サブキャリア間で分配されるビット数に応じて割り振られなくてもよい。
【０１００】
図１７は、実施形態に従った誤り訂正復号回路の第１の構成例である。図１７において、誤り訂正復号回路９´−１及び９´−２は、誤り訂正符号化回路５´−１及び５´−２に対向する回路である。すなわち、誤り訂正復号回路９´−１及び９´−２は、サブキャリア1に付加された所望長の誤り訂正符号の内、所定の冗長度を超える部分(N11-N)がサブキャリア2に分配された受信信号（Nビットの受信信号）から、対応する主信号を夫々復号する。
【０１０１】
具体的には、誤り訂正復号回路９´−２において、分配器９２１−２は、Nビットの受信信号の内、処理対象であるサブキャリア2の信号の符号長N21を超える誤り訂正符号の部分(N-N21)を誤り訂正復号回路９´−１へバス１１´−２を介して分配する。分配器９２１−２は、誤り訂正符号分配部９２´−２の具体的な構成例である。図１５及び式(5)から明らかなように、分配器９２１−２により分配される誤り訂正符号の部分(N-N21)は、分配器５２１−１（図１４）により分配された誤り訂正符号の部分(N11-N)と同じである。復号回路９４１−２は、分配器９２１−２から出力されたN21ビットの受信信号に含まれる(N21-K)ビットの誤り訂正符号を用いてKビットの主信号を復号する。復号回路９４１−２は、誤り訂正復号部９４´−２の具体的な構成例である。
【０１０２】
また、誤り訂正復号回路９´−１において、結合器９３１−１は、誤り訂正復号回路９´−２から分配された誤り訂正符号の部分(N-N21)をNビットの受信信号と結合することで、N11ビットの受信信号を生成する。結合器９３１−１は、誤り訂正符号結合部９３´−１の具体的な構成例である。復号回路９４１−１は、結合器９３１−１から出力されたN11ビットの信号に含まれる(N11-K)ビットの誤り訂正符号を用いてKビットの主信号を復号する。復号回路９４１−１は、誤り訂正復号部９４´−１の具体的な構成例である。
【０１０３】
上述のように誤り訂正符号が分配されることで、各サブチャネルの伝送品質を所値以上に保ちながら、各サブキャリアの送信信号の全ビット長を、スーパーチャネルの伝送品質が所値以上となる長さに抑えることができる。
【０１０４】
なお、図１７に示す構成例では、バス１１´−２のビット幅は、分配されるビット数(N-N21)に応じて割り振られる。こうしたビット幅の割り振りによって、スーパーチャネルに束ねられる各サブキャリアで誤り訂正符号の所望の符号長が異なることに起因して発生する動作クロックの乗せ替えが不要になる。
【０１０５】
また、実施形態に従った誤り訂正復号回路の具体的な構成によっては、FIFOバッファ等を用いて動作クロックの載せ替えが行われてもよい。図１８は、動作クロックの載せ替えを実行する誤り訂正復号回路の構成例である。図１８の構成例では、誤り訂正復号回路９´−１及び９´−２は、第３のFIFOバッファ９５´−１及び９５´−２、並びに第４のFIFOバッファ９６´−１及び９６´−２を含む。第３のFIFOバッファ９５´−１及び９５´−２は、動作周波数3で処理される受信信号（Nビットの受信信号）から、所望の符号長の誤り訂正符号が付加された送信信号（N11及びN21ビットの受信信号）が生成及び出力される動作周波数2に変換するための回路である。第４のFIFOバッファ９６´−１及び９６´−２は、動作周波数2で処理される受信信号から主信号（Kビットの情報ビット）が復号及び出力される動作周波数3に変換するための回路である。動作周波数1、動作周波数、及び動作周波数3は、前述した式(6)で示される関係を有する。図１８に示したような構成によれば、バス１１´−２のビット幅は、サブキャリア間で分配されるビット数に応じて割り振られなくてもよい。
【０１０６】
＜＜実施形態に従った誤り訂正符号化回路及び誤り訂正復号回路の第２の構成例＞＞
次に、第２の構成例として、スーパーチャネルに束ねられる各サブチャネルの伝送品質を選択的に改善可能な回路の構成を図１９及び図２０を参照しながら説明する。
【０１０７】
図１９は、実施形態に従った誤り訂正符号化回路の第２の構成例である。図１９に示す誤り訂正符号化回路５´´−１及び５´´−２の構成部品の内、図１４に示した誤り訂正符号化回路５´−１及び５´−２の構成部品と同じ構成部品には、同じ参照符号が付されている。
【０１０８】
図１４及び図１５を参照しながら前述したように、第1の構成例では、伝送品質を所値以上に改善するためにサブキャリア1に対して付加された所望の符号長の誤り訂正符号の内、所定の冗長度を超える部分がサブキャリア2に分配される。第２の構成例では、第１の構成例と同様の処理に加えて、伝送品質を所値以上に改善するためにサブキャリア2に対して付加された所望の符号長の誤り訂正符号の内、所定の冗長度を超える部分がサブキャリア1に分配される。また、第２の構成例では、サブキャリア1及びサブキャリア2の送信信号の符号長を共にNとし、各送信信号の冗長度が等しくなるように更に構成される。前述したように、Nは、各サブキャリアの送受信信号に対する所定のビット長であり、例えば、ビットレートの上昇に応じてスーパーチャネルの伝送品質を所値以上に保つために望ましい長さに決められる。図１９に示した第２の構成例では、Nは次の式(7)で定義される。
【０１０９】
【数７】
0006492774.tif 000008
【０１１０】
具体的には、誤り訂正符号化回路５´´−１は、誤り訂正符号化回路５´−１（図１４）と同様の構成部品を含む。また、誤り訂正符号化回路５´´−２は、誤り訂正符号化回路５´−２（図１４）と同様の構成部品を含む。そこで、誤り訂正符号化回路５´´−１及び５´´−２は、誤り訂正符号化回路５´−１及び５´−２と同様の処理動作を行う。すなわち、誤り訂正符号化回路５´´−１及び５´´−２は、サブキャリア1に対して付加された所望の符号長の誤り訂正符号の内、所定の冗長度を超える部分をサブキャリア2に分配することで、Nビットの送信信号を夫々出力する。
【０１１１】
例えば、サブキャリア1に対する伝送品質を改善するために、符号化回路５１１−１は、送信信号の冗長度(N11/K-1)が25.5 %となる誤り訂正符号を主信号に付加するように構成される。また、所定の冗長度(N/K-1)が20.5 %である場合、分配器５２１−１及び結合器５３１−２は、サブキャリア1に対して付加された誤り訂正符号の内、所定の冗長度20.5 %を超える部分5.5 %がサブキャリア2に分配されるように構成される。そして、分配された冗長度5.5 %の部分が結合された後のサブキャリア2の送信信号の冗長度が20.5 %以内に収まるように、符号化回路５１１−２は、送信信号の冗長度(N21/K-1)が15.5 %となる誤り訂正符号を主信号に付加するように構成される。
【０１１２】
また、サブキャリア2に対して付加された所望の符号長の誤り訂正符号の内、所定の冗長度を超える部分をサブキャリア1に分配するために、誤り訂正符号化回路５´´−２は、符号化回路５１２−２及び分配器５２１−２を更に含む。誤り訂正符号化回路５´´−１は、符号化回路５１２−１及び結合器５３１−１を更に含む。符号化回路５１２−２は誤り訂正符号化部５１´´−２の具体的な構成例であり、分配器５２１−２は誤り訂正符号分配部５２´´−２の具体的な構成例である。符号化回路５１２−１は誤り訂正符号化部５１´´−１の具体的な構成例であり、結合器５３１−１は誤り訂正符号結合部５３´´−１の具体的な構成例である。
【０１１３】
例えば、サブキャリア2に対する伝送品質を改善するために、符号化回路５１２−２は、送信信号の冗長度(N22/K-1)が25.5 %となる誤り訂正符号を主信号に付加するように構成される。また、所定の冗長度(N/K-1)が20.5 %である場合、分配器５２１−２及び結合器５３１−１は、サブキャリア2に対して付加された誤り訂正符号の内、所定の冗長度20.5 %を超える部分5.5 %がサブキャリア1に分配されるように構成される。そして、分配された冗長度5.5 %の部分が結合された後のサブキャリア1の送信信号の冗長度が20.5 %以内に収まるように、符号化回路５１２−１は、送信信号の冗長度(N12/K-1)が15.5 %となる誤り訂正符号を主信号に付加するように構成される。
【０１１４】
更に、サブキャリア1及びサブキャリア2の各送信信号の冗長度を等しくするために、誤り訂正符号化回路５´´−１は符号化回路５１３−１を更に含み、誤り訂正符号化回路５´´−２は符号化回路５１３−２を更に含む。符号化回路５１３−１は誤り訂正符号化部５１´´−１の具体的な構成例であり、符号化回路５１３−２は誤り訂正符号化部５１´´−２の具体的な構成例である。
【０１１５】
例えば、所定の冗長度(N/K-1)が20.5 %であると仮定すると、符号化回路５１３−１は、送信信号の冗長度(N/K-1)が20.5 %となる誤り訂正符号を主信号に付加するように構成される。また、符号化回路５１３−２が、送信信号の冗長度(N/K-1)が20.5 %となる誤り訂正符号を主信号に付加するように構成される。このケースでは、主信号に誤り訂正符号が付加された送信信号の符号長は、Nであるため、サブキャリア1及びサブキャリア2の間で誤り訂正符号の分配は実施されない。
【０１１６】
そして、上述したようなサブキャリア1及びサブキャリア2に対して設定可能な複数の冗長度の中から特定の冗長度を選択するために、誤り訂正符号化回路５´´−１は、第１のセレクタ(selector、SEL)５６´´−１及び第２のセレクタ（SEL）５７´´−１を更に含む。また、誤り訂正符号化回路５´´−２は、第１のセレクタ(SEL)５６´´−２及び第２のセレクタ（SEL）５７´´−２を更に含む。
【０１１７】
具体的には、サブキャリア1に対する伝送品質を改善する場合、第１のセレクタ５６´´−１は、主信号が符号化回路５１１−１へ入力される信号線を選択する。第２のセレクタ５７´´−１は、分配器５２１−１の出力信号が誤り訂正符号化回路５´´−１外へ出力される信号線を選択する。また、第１のセレクタ５６´´−２は、主信号が符号化回路５１１−２へ入力される信号線を選択する。第２のセレクタ５７´´−２は、結合器５３１−２の出力信号が誤り訂正符号化回路５´−２外へ出力される信号線を選択する。
【０１１８】
また、サブキャリア2に対する伝送品質を改善する場合、第１のセレクタ５６´´−１は、主信号が符号化回路５１２−１へ入力される信号線を選択する。第２のセレクタ５７´´−１は、結合器５３１−１の出力信号が誤り訂正符号化回路５´´−１外へ出力される信号線を選択する。また、第１のセレクタ５６´´−２は、主信号が符号化回路５１２−２へ入力される信号線を選択する。第２のセレクタ５７´´−２は、分配器５２１−２の出力信号が誤り訂正符号化回路５´´−２外へ出力される信号線を選択する。
【０１１９】
更に、サブキャリア1及びサブキャリア2の各送信信号の冗長度を等しくする場合、第１のセレクタ５６´´−１は、主信号が符号化回路５１３−１へ入力される信号線を選択する。第２のセレクタ５７´´−１は、符号化回路５１３−１の出力信号が誤り訂正符号化回路５´−１外へ出力される信号線を選択する。また、第１のセレクタ５６´´−２は、主信号が符号化回路５１３−２へ入力される信号線を選択する。第２のセレクタ５７´´−２は、符号化回路５１３−２の出力信号が誤り訂正符号化回路５´´−２外へ出力される信号線を選択する。
【０１２０】
第１のセレクタ５６´´−１及び５６´´−２、並びに第２のセレクタ５７´´−１及び５７´´−２による上述の選択は、実施形態に従った光伝送装置に含まれる制御回路（例えば、図２の制御回路２１（１）及び２１（２））からの指示に従って行われてよい。
【０１２１】
第２の構成例に従った誤り訂正符号化回路によれば、スーパーチャネルに束ねられる各サブチャネルの伝送品質を改善しつつ、スーパーチャネルの伝送性能を所値以上に維持することができる。また、２の構成例に従った誤り訂正符号化回路によれば、スーパーチャネルに束ねられる各サブチャネルに対する冗長度を等しくすることができる。
【０１２２】
なお、図１９に示す構成例では、バス１０´−１及び１０´´−２の各ビット幅は、分配されるビット数(N11-N)及び(N22-N)に応じて夫々割り振られる。ただし、実施形態に従った誤り訂正符号化回路の具体的な構成によっては、FIFOバッファ等を用いて動作クロックの載せ替えが行われてもよい。この場合、バス１０´−１及び１０´´−２の各ビット幅は、分配されるビット数(N11-N)及び(N22-N)に応じて割り振られなくてもよい。
【０１２３】
図２０は、実施形態に従った誤り訂正復号回路の第２の構成例である。図２０に示す誤り訂正復号回路９´´−１及び９´´−２の構成部品の内、図１７に示した誤り訂正復号回路９´−１及び９´−２の構成部品と同じ構成部品には、同じ参照符号が付されている。誤り訂正復号回路９´´−１及び９´´−２は、図１９に示した誤り訂正符号化回路５´´−１及び５´´−２に対向する回路である。
【０１２４】
誤り訂正復号回路９´´−１及び９´´−２は、誤り訂正復号回路９´−１及び９´−２の構成部品と同様の構成部品を含む。そこで、誤り訂正復号回路９´´−１及び９´´−２は、誤り訂正復号回路９´−１及び９´−２と同様の処理動作を行う。すなわち、誤り訂正復号回路９´´−１及び９´´−２は、サブキャリア1に付加された所望長の誤り訂正符号の内、所定の冗長度を超える部分(N11-N)がサブキャリア2に分配された受信信号（Nビットの受信信号）から、対応する主信号を夫々復号する。
【０１２５】
また、誤り訂正復号回路９´´−１は、分配器９２１−１及び復号回路９４２−１を更に含む。誤り訂正復号回路９´´−２は、結合器９３１−２及び復号回路９４２−２を更に含む。分配器９２１−１は、誤り訂正符号分配部９２´´―１の具体的な構成例であり、復号回路９４２−１は、誤り訂正符号復号部９４´´―１の具体的な構成例である。結合器９３１−２は、誤り訂正符号結合部９３´´―２の具体的な構成例であり、復号回路９４２−２は、誤り訂正符号復号部９４´´―２の具体的な構成例である。分配器９２１−１、復号回路９４２−１、結合器９３１−２、及び復号回路９４２−２によって、サブキャリア2に対して付加された所望の符号長の誤り訂正符号の内、所定の冗長度を超える部分がサブキャリア1に分配された受信信号（Nビットの受信信号）から、対応する主信号を夫々復号する。
【０１２６】
具体的には、分配器９２１−１は、Nビットの受信信号の内、処理対象であるサブキャリア1の信号の符号長N12を超える誤り訂正符号の部分(N-N12)を誤り訂正復号回路９´´−２へバス１１´´−１を介して分配する。式(7)から明らかなように、分配器９２１−１により分配される誤り訂正符号の部分(N-N12)は、分配器５２１−２（図１９）により分配された誤り訂正符号の部分(N22-N)と同じである。復号回路９４２−１は、分配器９２１−１から出力されたN12ビットの信号に含まれる(N12-K)ビットの誤り訂正符号を用いてKビットの主信号を復号する。
【０１２７】
また、結合器９３１−２は、誤り訂正復号回路９´´−１から分配された誤り訂正符号の部分(N-N12)をNビットの受信信号と結合し、N22ビットの信号を生成する。復号回路９４２−１は、結合器９３１−２から出力されたN22ビットの信号に含まれる(N22-K)ビットの誤り訂正符号を用いてKビットの主信号を復号する。
【０１２８】
更に、誤り訂正復号回路９´´−１は復号回路９４３−１を更に含み、誤り訂正復号回路９´´−２は復号回路９４３−２を更に含む。復号回路９４３−１は誤り訂正符号復号部９４´´―１の具体的な構成例であり、復号回路９４３−２は誤り訂正符号復号部９４´´―２の具体的な構成例である。復号回路９４３−１及び９４３−２によって、Nビットの受信信号から対応する主信号を復号する。
【０１２９】
そして、上述したようなサブキャリア1及びサブキャリア2に対して設定可能な複数の冗長度の中から特定の冗長度を選択するために、誤り訂正復号回路９´´−１は、第３のセレクタ(SEL)９７´´−１及び第４のセレクタ（SEL）９８´´−１を更に含む。また、誤り訂正復号回路９´´−２は、第３のセレクタ(SEL)９７´´−２及び第５のセレクタ（SEL）９８´´−２を更に含む。
【０１３０】
具体的には、サブキャリア1に対する伝送品質を改善する場合、第３のセレクタ９７´´−１は、受信信号が結合器９３１−１へ入力される信号線を選択する。第４のセレクタ９８´´−１は、復号回路９４１−１の出力信号が誤り訂正復号回路９´´−１外へ出力される信号線を選択する。また、第３のセレクタ９７´´−２は、受信信号が分配器９２１−２へ入力される信号線を選択する。第４のセレクタ９８´´−２は、復号回路９４１−２の出力信号が誤り訂正復号回路９´´−２外へ出力される信号線を選択する。
【０１３１】
また、サブキャリア2に対する伝送品質を改善する場合、第３のセレクタ９７´´−１は、受信信号が分配器９２１−１へ入力される信号線を選択する。第４のセレクタ９８´´−１は、復号回路９４２−１の出力信号が誤り訂正復号回路９´´−１外へ出力される信号線を選択する。また、第３のセレクタ９７´´−２は、受信信号が結合器９３１−２へ入力される信号線を選択する。第４のセレクタ９８´´−２は、復号回路９４２−２の出力信号が誤り訂正復号回路９´´−２外へ出力される信号線を選択する。
【０１３２】
更に、サブキャリア1及びサブキャリア2の各送信信号の冗長度を等しくする場合、第３のセレクタ９７´´−１は、受信信号が復号回路９４３−１へ入力される信号線を選択する。第４のセレクタ９８´´−１は、復号回路９４３−１の出力信号が誤り訂正復号回路９´´−１外へ出力される信号線を選択する。また、第３のセレクタ９７´´−２は、受信信号が復号回路９４３−２へ入力される信号線を選択する。第４のセレクタ９８´´−１は、復号回路９４３−２の出力信号が誤り訂正復号回路９´´−２外へ出力される信号線を選択する。
【０１３３】
第３のセレクタ９７´´−１及び９７´´−２、並びに第４のセレクタ９８´´−１及び９８´´−２による上述の選択は、実施形態に従った光伝送装置に含まれる制御回路（例えば、図２の制御回路２１（１）及び２１（２））からの指示に従って行われてよい。
【０１３４】
第２の構成例に従った誤り訂正復号回路によれば、スーパーチャネルに束ねられる各サブチャネルの伝送品質を改善しつつ、スーパーチャネルの伝送性能を所値以上に維持することができる。また、第２の構成例に従った誤り訂正復号回路によれば、スーパーチャネルに束ねられる各サブチャネルに対する冗長度を等しくすることができる。
【０１３５】
なお、図２０に示す構成例では、バス１１´−２及び１１´´−１の各ビット幅は、分配されるビット数(N-N21)及び(N-N12)に応じて夫々割り振られる。式(7)から明らかなように、ビット数(N-N21)とビット数(N11-N)とは同じである。ビット数(N-N12)とビット数(N22-N)とは同じである。
【０１３６】
ただし、実施形態に従った誤り訂正復号回路の具体的な構成によっては、FIFOバッファ等を用いて動作クロックの載せ替えが行われてもよい。この場合、バス１１´−２及び１１´´−１の各ビット幅は、分配されるビット数(N-N21)及び(N-N12)に応じて割り振られなくてもよい。
【０１３７】
＜＜実施形態に従った誤り訂正符号化回路及び誤り訂正復号回路の第３の構成例＞＞
最後に、第３の構成例として、スーパーチャネルに束ねられる各サブチャネルに対して、複数の伝送品質に応じた複数の冗長度の中から所望の伝送品質に応じた冗長度を選択可能な回路の構成を図２１Ａ〜図２２Ｂを参照しながら説明する。
【０１３８】
図２１Ａ及び図２１Ｂは、実施形態に従った誤り訂正符号化回路の第３の構成例である。図２１Ａ及び図２１Ｂに示す誤り訂正符号化回路５´´´−１及び５´´´−２の構成部品の内、図１９に示した誤り訂正符号化回路５´´−１及び５´´−２の構成部品と同じ構成部品には、同じ参照符号が付されている。
【０１３９】
図１９を参照しながら前述したように、第２の構成例では、サブキャリア1に対する伝送品質を改善する場合、冗長度が(N11/K-1)である符号化回路５１１−１に主信号が入力される信号線が選択される。また、サブキャリア2に対する伝送品質を改善する場合、冗長度が(N22/K-1)である符号化回路５１２−２に主信号が入力される信号線が選択される。このように、第２の構成例では、あるサブキャリアに対する伝送品質を改善する場合に選択可能な誤り訂正信号の冗長度の数は1つである。第３の構成例では、誤り訂正符号化回路５´´´−１及び５´´´−２は、あるサブキャリアに対する伝送品質を改善する場合に、予め設定された複数の冗長度の中から所望の冗長度を選択するように構成される。
【０１４０】
具体的には、サブキャリア1に対する伝送品質を改善するために、誤り訂正符号化回路５´´´−１は、冗長度が(N11/K-1)である符号化回路５１１−１及び分配器５２１−１を含む。また、誤り訂正符号化回路５´´´−２は、冗長度が(N21/K-1)である符号化回路５１１−２及び結合器５３１−２を含む。これらの構成部品は誤り訂正符号化回路５´´−１及び５´´−２の構成部品と同じである。
【０１４１】
また、サブキャリア1に対する伝送品質を改善する場合に複数の冗長度の中から所望の冗長度を選択可能にするために、誤り訂正符号化回路５´´´−１は、冗長度が(N13/K-1)である符号化回路５１４−１及び分配器５２２−１を更に含む。また、誤り訂正符号化回路５´´´−２は、冗長度が(N23/K-1)である符号化回路５１４−２及び結合器５３２−２を更に含む。冗長度が異なる点を除いて、符号化回路５１４−１、分配器５２２−１、符号化回路５１４−２、及び結合器５３２−２の処理動作は、符号化回路５１１−１、分配器５２１−１、符号化回路５１１−２、及び結合器５３１−２の処理動作と同様である。
【０１４２】
例えば、サブキャリア1に対する伝送品質を改善するために符号化回路５１１−１の冗長度(N11/K-1)は25.5 %に設定され、所定の冗長度(N/K-1)として設定された20.5 %に対応して符号化回路５１１−２の冗長度(N21/K-1)は15.5 %に設定されたと仮定する。この場合、例えば、サブキャリア1に対する伝送品質をより改善するために符号化回路５１４−１の冗長度(N13/K-1)は35.5 %に設定され、所定の冗長度(N/K-1)として設定された20.5 %に対応して符号化回路５１４−２の冗長度(N23/K-1)は5.5 %に設定される。
【０１４３】
一方、サブキャリア2に対する伝送品質を改善するために、誤り訂正符号化回路５´´´−２は、冗長度が(N22/K-1)である符号化回路５１２−２及び分配器５２１−２を含む。また、誤り訂正符号化回路５´´´−１は、冗長度が(N12/K-1)である符号化回路５１２１−２及び結合器５３１−１を含む。これらの構成部品は誤り訂正符号化回路５´´−１及び５´´−２の構成部品と同じである。
【０１４４】
また、サブキャリア2に対する伝送品質を改善する場合に複数の冗長度の中から所望の冗長度を選択可能にするために、誤り訂正符号化回路５´´´−２は、冗長度が(N24/K-1)である符号化回路５１５−２及び分配器５２２−２を更に含む。また、誤り訂正符号化回路５´´´−１は、冗長度が(N14/K-1)である符号化回路５１５−２及び結合器５３２−１を更に含む。冗長度が異なる点を除いて、符号化回路５１５−２、分配器５２２−２、符号化回路５１５−１、及び結合器５３２−１の処理動作は、符号化回路５１２−２、分配器５２１−１、符号化回路５１２−１、及び結合器５３１−１の処理動作と同様である。
【０１４５】
例えば、サブキャリア2に対する伝送品質を改善するために符号化回路５１２−２の冗長度(N22/K-1)は25.5 %に設定され、所定の冗長度(N/K-1)として設定された20.5 %に対応して符号化回路５１２−１の冗長度(N12/K-1)は15.5 %に設定されたと仮定する。この場合、例えば、サブキャリア2に対する伝送品質をより改善するために符号化回路５１５−２の冗長度(N24/K-1)は35.5 %に設定され、所定の冗長度(N/K-1) として設定された20.5 %に対応して符号化回路５１５−１の冗長度(N14/K-1)は5.5 %に設定される。
【０１４６】
更に、サブキャリア1及びサブキャリア2の各送信信号の冗長度を等しくするために、誤り訂正符号化回路５´´−１は符号化回路５１３−１を更に含み、誤り訂正符号化回路５´´−２は符号化回路５１３−２を更に含む。これらの構成部品は誤り訂正符号化回路５´´−１及び５´´−２の構成部品と同じである。
【０１４７】
図２１Ａ及び図２１Ｂに示した第３の構成例では、Nは以下の式(8)により定義される。
【０１４８】
【数８】
0006492774.tif 000009
【０１４９】
そして、上述したようなサブキャリア1及びサブキャリア2に対して設定された複数の冗長度の中から任意の冗長度を選択するために、誤り訂正符号化回路５´´´−１は、第１のセレクタ(SEL)５６´´´−１及び第２のセレクタ（SEL）５７´´´−１を更に含む。また、誤り訂正符号化回路５´´´−２は、第１のセレクタ(SEL)５６´´´−２及び第２のセレクタ（SEL）５７´´´−２を更に含む。第１のセレクタ５６´´´−１及び５６´´´−２、並びに第２のセレクタ５７´´´−１及び５７´´´−２による上述の選択は、実施形態に従った光伝送装置に含まれる制御回路（例えば、図２の制御回路２１（１）及び２１（２））からの指示に従って行われてよい。
【０１５０】
第３の構成例に従った誤り訂正符号化回路によれば、スーパーチャネルに束ねられる各サブチャネルの伝送品質を改善する場合に、複数の伝送品質に応じた複数の冗長度の中から所望の伝送品質に応じた冗長度を選択することができる。
【０１５１】
なお、図２１Ａ及び図２１Ｂに示す構成例では、バス１０´−１、１０´´−２、１０´´´−１、及び１０´´´−２の各ビット幅は、分配されるビット数(N11-N)、(N22-N)、(N13-N)、及び(N24-N)に応じて夫々割り振られる。ただし、実施形態に従った誤り訂正符号化回路の具体的な構成によっては、FIFOバッファ等を用いて動作クロックの載せ替えが行われてもよい。この場合、バス１０´−１、１０´´−２、１０´´´−１、及び１０´´´−２の各ビット幅は、分配されるビット数(N11-N)、(N22-N)、(N13-N)、及び(N24-N)に応じて割り振られなくてもよい。
【０１５２】
図２２Ａ及び図２２Ｂは、実施形態に従った誤り訂正復号回路の第３の構成例である。図２２Ａ及び図２２Ｂに示す誤り訂正復号回路９´´´−１及び９´´´−２の構成部品の内、図２０に示した誤り訂正復号回路９´´−１及び９´´−２の構成部品と同じ構成部品には、同じ参照符号が付されている。誤り訂正復号回路９´´´−１及び９´´´−２は、図２１Ａ及び図２１Ｂに示した誤り訂正符号化回路５´´´−１及び５´´´−２に対向する回路である。
【０１５３】
誤り訂正復号回路９´´´−１及び９´´´−２は、誤り訂正復号回路９´´−１及び９´´−２の構成部品と同様の構成部品を含む。そこで、誤り訂正復号回路９´´´−１及び９´´−２は、誤り訂正復号回路９´´−１及び９´´−２と同様の処理動作を行う。また、第３の構成例では、誤り訂正復号回路９´´´−１及び９´´´−２は、複数の伝送品質に応じた複数の冗長度の中から選択された所望の冗長度を有する各サブキャリアの受信信号から主信号を復号するように構成される。
【０１５４】
具体的には、冗長度が(N11/K-1)に設定されたサブキャリア1の受信信号を再生し、再生された受信信号から主信号を復号するために、誤り訂正復号回路９´´´−１は、結合器９３１−１及び復号回路９４１−１を含む。また、冗長度が(N21/K-1)に設定されたサブキャリア2の受信信号を再生し、再生された受信信号から主信号を復号するために、誤り訂正復号回路９´´´−２は、分配器９２１−１及び復号回路９４１−２を含む。これらの構成部品は誤り訂正復号回路９´´−１及び９´´−２の構成部品と同じである。
【０１５５】
また、冗長度が(N13/K-1)に設定されたサブキャリア1の受信信号を再生し、再生された受信信号から主信号を復号するために、誤り訂正復号回路９´´´−１は、結合器９３２−１及び復号回路９４４−１を含む。また、冗長度が(N23/K-1)に設定されたサブキャリア2の受信信号を再生し、再生された受信信号から主信号を復号するために、誤り訂正復号回路９´´´−２は、分配器９２２−２及び復号回路９４４−２を含む。
【０１５６】
一方、冗長度が(N22/K-1)に設定されたサブキャリア2の受信信号を再生し、再生された受信信号から主信号を復号するために、誤り訂正復号回路９´´´−２は、結合器９３１−２及び復号回路９４２−２を含む。また、冗長度が(N12/K-1)に設定されたサブキャリア1の受信信号を再生し、再生された受信信号から主信号を復号するために、誤り訂正復号回路９´´´−１は、分配器９２１−１及び復号回路９４２−１を含む。これらの構成部品は誤り訂正復号回路９´´−１及び９´´−２の構成部品と同じである。
【０１５７】
また、冗長度が(N24/K-1)に設定されたサブキャリア2の受信信号を再生し、再生された受信信号から主信号を復号するために、誤り訂正復号回路９´´´−２は、結合器９３２−２及び復号回路９４５−２を含む。また、冗長度が(N14/K-1)に設定されたサブキャリア1の受信信号を再生し、再生された受信信号から主信号を復号するために、誤り訂正復号回路９´´´−１は、分配器９２２−１及び復号回路９４５−２を含む。
【０１５８】
更に、サブキャリア1及びサブキャリア2に対する冗長度を等しく設定された受信信号から主信号を復号するために、誤り訂正復号回路９´´´−１は復号回路９４３−１を更に含む。また、誤り訂正復号回路９´´´−２は復号回路９４３−２を更に含む。これらの構成部品は誤り訂正復号回路９´´−１及び９´´−２の構成部品と同じである。
【０１５９】
そして、上述したようなサブキャリア1及びサブキャリア2に対して設定された複数の冗長度の中から任意の冗長度を選択するために、誤り訂正復号回路９´´´−１は、第３のセレクタ(SEL)９７´´´−１及び第４のセレクタ（SEL）９８´´´−１を更に含む。また、誤り訂正復号回路９´´´−２は、第３のセレクタ(SEL)９７´´´−２及び第４のセレクタ（SEL）９８´´´−２を更に含む。第３のセレクタ９７´´´−１及び９７´´´−２、並びに第４のセレクタ９８´´´−１及び９８´´´−２による上述の選択は、実施形態に従った光伝送装置に含まれる制御回路（例えば、図２の制御回路２１（１）及び２１（２））からの指示に従って行われてよい。
【０１６０】
第３の構成例に従った誤り訂正復号回路によれば、スーパーチャネルに束ねられる各サブチャネルの伝送品質を改善する場合に、複数の伝送品質に応じた複数の冗長度の中から所望の伝送品質に応じた冗長度を選択することができる。
【０１６１】
なお、図２２Ａ及び図２２Ｂに示す構成例では、バス１１´−２、１１´´−１、１１´´´−１、及び１１´´´−２の各ビット幅は、分配されるビット数(N-N21)、(N-N12)、(N-N14)、及び(N-N23)に応じて夫々割り振られる。式(8)から明らかなように、ビット数(N-N21)とビット数(N11-N)とは同じである。ビット数(N-N12)とビット数(N22-N)とは同じである。ビット数(N-N14)とビット数(N24-N)とは同じである。ビット数(N-N23)とビット数(N13-N)とは同じである。
【０１６２】
ただし、実施形態に従った誤り訂正符号化回路の具体的な構成によっては、FIFOバッファ等を用いて動作クロックの載せ替えが行われてもよい。この場合、バス１１´−２、１１´´−１、１１´´´−１、及び１１´´´−２の各ビット幅は、分配されるビット数(N-N21)、(N-N12)、(N-N14)、及び(N-N23)に応じて割り振られなくてよい。
【０１６３】
＜実施形態に従った光伝送装置が実行する伝送方法の一例＞
実施形態に従った光伝送装置が実行する伝送方法の一例を説明する。一例として、図１に示した光伝送システム１において、スーパーチャネルの光信号がOADMノード２−１からOADMノード２−２へ伝送されるケースを説明する。すなわち、OADMノード２−１を送信側の光伝送装置２（図２）とし、OADMノード２−２を受信側の光伝送装置２として伝送方法の一例を説明する。図１においてOADMノード２−１からOADMノード２−２への信号の伝送方向は、図２に関して前述した第１の伝送方向に対応する。また、OADMノード２−２からOADMノード２−１へ信号の伝送方向は、図２に関して前述した第２伝送方向に対応する。
【０１６４】
実施形態に従った誤り訂正符号化回路及び誤り訂正復号回路の第２及び第３の構成例において前述したように、実施形態に従った光伝送装置では、各サブキャリアの信号の冗長度は、予め備えられた複数の冗長度の中から選択されてよい。こうした冗長度の選択は、実施形態に従った光伝送システムの運用開始前に実施されてよく、光伝送システムの運用中に実施されてもよい。
【０１６５】
＜＜光伝送システムの運用開始前に実行される伝送方法の一例＞＞
まず、光伝送システムの運用開始前に実行される伝送方法の一例として、実施形態に従った光伝送装置が実行する冗長度設定処理を図２３〜図２７を参照しながら説明する。
【０１６６】
図２３は、運用開始前に実行される冗長度設定処理の第１例のフロー図である。冗長度設定処理の第１例では、一連の冗長度設定処理全体の制御を受信側の光伝送装置２（OADMノード２−２）の制御回路２１（１）が受け持つ。
【０１６７】
一連の冗長度設定処理が開始されると（ステップＳ１００１）、受信側の光伝送装置２の制御回路２１（１）は、送信側の光伝送装置２の制御回路２１（１）に次のような指示を含む制御信号を送信する（ステップＳ１００２）。すなわち、受信側の光伝送装置２の制御回路２１（１）は、各サブキャリア（SC）の主信号として既知信号を用いたスーパーチャネルの光信号を送信する指示を含む制御信号を第１の制御信号送受信器３２（１）及び第２の制御信号送受信器３３（２）を介して送信側の光伝送装置２の制御回路２１（１）へ送信する。
【０１６８】
送信側の光伝送装置の制御装置２１（１）は、受信側の光伝送装置２の制御回路２１（１）から送信された制御信号を光アッテネータ２２（２）、第１の制御信号送受信器３２（２）、及び第２の制御信号送受信器３３（１）を介して受信する。制御回路２１（１）は、制御信号に含まれる指示に従って、既知信号を用いたサブキャリア信号を送信するように、トランスポンダ２７（Ａ）−１−１〜２７（Ａ）−ｎ−ｍに指示する。トランスポンダ２７（Ａ）−１−１〜２７（Ａ）−ｎ−ｍは、対応するサブキャリアで既知信号を送信する。トランスポンダ２７（Ａ）−１−１〜２７（Ａ）−ｎ−ｍから送信された既知信号は、光カプラ２８（１）−１〜２８（１）−ｎ、光アンプ２９（１）−１〜２９（１）−ｎ、及び光挿入スイッチ３０（１）を経て、スーパーチャネルの光信号の形式で送信される。
【０１６９】
送信側の光伝送装置２から送信された各サブキャリアの既知信号は、光アッテネータ２２（１）、プリアンプ２３（１）、光分岐スイッチ２４（１）、光アンプ２５（１）−１〜２５（１）−ｎ、光カプラ２６（１）−１〜２６（１）−ｎを経て、トランスポンダ２７（Ｂ）−１−１〜２７（Ｂ）−ｎ−ｍに受信される。トランスポンダ２７（Ｂ）−１−１〜２７（Ｂ）−ｎ−ｍは、受信信号処理回路２７９（図５）の誤り訂正復号回路９内に伝送品質測定部（図１３）を夫々含む。トランスポンダ２７（Ｂ）−１−１〜２７（Ｂ）−ｎ−ｍ内の各伝送品質測定部は、対応するサブキャリアの既知信号のQ値を測定する（ステップＳ１００３）。Q値は、伝送品質の一例である。また、伝送品質測定部により測定されるQ値は、誤り訂正符号が付加される前の既知信号のQ値である。トランスポンダ２７（Ｂ）−１−１〜２７（Ｂ）−ｎ−ｍの各伝送品質測定部により測定されたQ値は、制御回路２１（１）に送信される。
【０１７０】
受信側の光伝送装置２の制御回路２１（１）は、トランスポンダ２７（Ｂ）−１−１〜２７（Ｂ）−ｎ−ｍの各伝送品質測定部により測定されたQ値を受信する。制御回路２１（１）は、受信されたQ値を用いて各サブキャリアに対する冗長度の配分を決定する（ステップＳ１００４）。ステップＳ１００４で実行される冗長度配分処理の一例を図２４を参照しながら説明する。
【０１７１】
図２４は、実施形態に従った冗長度配分処理の例示的なフロー図である。一連の冗長度配分処理が開始されると（ステップＳ２００１）、制御回路２１（１）は、スーパーチャネルに束ねられる各サブキャリアにおいて測定されたQ値から、各サブキャリアの信号に対する所望の冗長度を夫々取得する（ステップＳ２００２）。
【０１７２】
例えば、制御回路２１（１）は、図２５に示すような冗長度・伝送品質対応テーブル２１１を予め記憶する。図２５は、実施形態に従った冗長度・伝送品質対応テーブルの例図である。冗長度・伝送品質対応表２１１には、サブキャリアの信号に与えられる冗長度とQ値閾値との対応関係が冗長度毎に記録される。Q値閾値は、当該冗長度が与えられたサブキャリアの信号が正しく復号されるために最低限必要なQ値を表す。制御回路２１（１）は、測定されたサブキャリアの既知信号のQ値と冗長度・伝送品質対応テーブル２１１に記録されたQ値閾値とを次の式(9)を用いて比較する。そして、制御回路２１（１）は、式(9)を満足するQ値閾値の中で値が最も大きなQ値閾値に対応する冗長度を冗長度・伝送品質対応テーブル２１１から取得する。
【０１７３】
【数９】
0006492774.tif 000010
【０１７４】
式(9)中のαは、経年劣化や光レベル調整誤差等を含む伝送マージンであり、例えば2.0 dBである。
【０１７５】
制御回路２１（１）は、各サブキャリアについて夫々取得された冗長度の平均値を算出する。そして、制御回路２１（１）は、算出された平均値が各サブキャリアに設定可能な冗長度以下であるか否かを判定する（ステップＳ２００３）。各サブキャリアに設定可能な冗長度とは、前述した所定の冗長度(N/K-1)を指し、例えば、スーパーチャネルの伝送品質を所値以上に保つために許容可能なビットレートの上限に対応して決定される。
【０１７６】
例えば、スーパーチャネルに束ねられるサブキャリアの数が4（ｍ=４）である場合に、各サブキャリアに設定可能な冗長度が20.5 %であり、サブキャリア1〜4について夫々取得された冗長度が25.5 %、7 %、7 %、及び25.5 %であるケース1を仮定する。ケース1では、取得された冗長度の平均値は、16.25 %であり、各サブキャリアに設定可能な冗長度である20.5 %以下であると判定される。一方、各サブキャリアに設定可能な冗長度が20.5 %であり、サブキャリア1〜4について夫々取得された冗長度が25.5 %、20.5 %、20.5 %、及び25.5 %であるケース2を仮定する。ケース2では、取得された冗長度の平均は、23 %であり、各サブキャリアに設定可能な冗長度である20.5 %を超えると判定される。
【０１７７】
上述したケース2のように、各サブキャリアについて夫々取得された冗長度の平均値が各サブキャリアに設定可能な冗長度を超えると判定される場合（ステップＳ２００３で“ＮＯ”）、伝送不可と決定される（ステップＳ２００４）。すなわち、スーパーチャネルの伝送品質を所値以上に保ちつつ各サブキャリアを所望の伝送品質で伝送することはできないと決定される。なぜなら、実施形態に従った冗長度の分配方法により各サブキャリア間で冗長度を分配したとしても各サブキャリアの冗長度を各サブキャリアに設定可能な冗長度以下できないためである。伝送不可と決定された場合、光伝送システム１の構成が変更又は修正されてよい。
【０１７８】
一方、上述したケース1のように、各サブキャリアについて夫々取得された冗長度の平均値が各サブキャリアに設定可能な冗長度以下であると判定される場合（ステップＳ２００３で“ＹＥＳ”）、一連の冗長度配分処理は、ステップＳ２００５に進む。ステップＳ２００５において、制御回路２１（１）は、各サブキャリア間での冗長度の分配が必要か否かを判定する。具体的には、制御回路２１（１）は、各サブキャリアについて夫々取得された冗長度の中に、各サブキャリアに設定可能な冗長度を超える冗長度があるか否かを判定する。例えば、前述したケース1では、サブキャリア1〜4について夫々取得された冗長度の中で、サブキャリア1及び4について取得された冗長度25.5 %は、各サブキャリアに設定可能な冗長度である20.5 %を超える。そこで、ケース1では、制御回路２１（１）は、各サブキャリア間で冗長度の分配が必要と判定する。
【０１７９】
各サブキャリア間での冗長度の分配が不要と判定される場合（ステップＳ２００５で“ＮＯ”）、一連の冗長度配分処理は、ステップＳ２００６に進む。ステップＳ２００６において、制御回路２１（１）は、各サブキャリアに対して設定される冗長度を、各サブキャリアに設定可能な冗長度（例えば、上述の例では20.5 %）に決定する（ステップＳ２００６）。各サブキャリアに対して設定される冗長度が決定されると、一連の冗長度配分処理は終了する（ステップＳ２００８）。
【０１８０】
一方、各サブキャリア間での冗長度の分配が必要と判定される場合（ステップＳ２００５で“ＹＥＳ”）、一連の冗長度配分処理は、ステップＳ２００７に進む。ステップＳ２００７において、制御回路２１（１）は、各サブキャリアに対して設定される冗長度が各サブキャリアに設定可能な冗長度以下になるように、各サブキャリア間で冗長度の分配を実施し、各サブキャリアに対して設定される冗長度を決定する。
【０１８１】
例えば、前述のケース1では、制御回路２１（１）は、サブキャリア1に対して設定される冗長度を、各サブキャリアに設定可能な冗長度20.5 %に決定する。そして、制御回路２１（１）は、サブキャリア1に対して取得された冗長度25. 5 %の内、サブキャリア1に対して設定された冗長度20.5 %を超える部分5.5 %をサブキャリア2に分配する。制御回路２１（１）は、サブキャリア2に対して取得された冗長度20.5 %とサブキャリア1から分配された冗長度5 %とを合計し、サブキャリア2に対して設定される冗長度を25.5 %に決定する。同様に、制御回路２１（１）は、サブキャリア4に対して設定される冗長度を、各サブキャリアに設定可能な冗長度20.5 %に決定する。そして、制御回路２１（１）は、サブキャリア4に対して取得された冗長度25. 5 %の内、サブキャリア4に対して設定された冗長度20.5 %を超える部分5.5 %をサブキャリア3に分配する。制御回路２１（１）は、サブキャリア3に対して取得された冗長度20.5 %とサブキャリア4から分配された冗長度5 %とを合計し、サブキャリア3に対して設定される冗長度を25.5 %に決定する。
【０１８２】
各サブキャリアに対して設定される冗長度が決定されると、一連の冗長度配分処理は終了する（ステップＳ２００８）。
【０１８３】
ステップＳ１００５において、受信側の光伝送装置２の制御回路２１（１）は、各サブキャリアに対して決定された冗長度を送信側の光伝送装置２へフィードバックし、送信側の光伝送装置２内の誤り訂正符号化回路５（図４）の設定を指示する。具体的には、制御回路２１（１）は、各サブキャリアに対して決定された冗長度と誤り訂正符号化回路の設定指示とを含む制御信号を第１の制御信号送受信器３２（１）及び第２の制御信号送受信器３３（２）を介して送信する。受信側の光伝送装置２から送信された制御信号は、光アッテネータ２２（２）、第１の制御信号送受信器３２（２）、及び第２の制御信号送受信器３３（１）を介して送信側の光伝送装置２の制御回路２１（１）に受信される。
【０１８４】
送信側の光伝送装置２の制御回路２１（１）は、受信された制御信号に従って誤り訂正符号化回路５を制御する。具体的には、制御回路２１（１）は、誤り訂正符号化回路５内に含まれる誤り訂正符号化部の内、各サブキャリアに対して決定された冗長度に対応する誤り訂正符号化部が選択されるようにセレクタを制御する。
【０１８５】
例えば、前述した第２の構成例（図１９）では、制御回路２１（１）は、符号化回路５１１−１〜５１３−１の中から、サブキャリア1に対して決定された冗長度に対応する符号化回路が選択されるように、セレクタ５６´´−１及び５７´´−１を制御する。また、制御回路２１（１）は、符号化回路５１１−２〜５１３−２の中から、サブキャリア2に対して決定された冗長度に対応する符号化回路が選択されるように、セレクタ５６´´−２及び５７´´−２を制御する。
【０１８６】
また、第３の構成例（図２１Ａ、図２１Ｂ）では、制御回路２１（１）は、符号化回路５１１−１〜５１５−１の中から、サブキャリア1に対して決定された冗長度に対応する符号化回路が選択されるように、セレクタ５６´´´−１及び５７´´´−１を制御する。また、制御回路２１（１）は、符号化回路５１１−２〜５１５−２の中から、サブキャリア2に対して決定された冗長度に対応する符号化回路が選択されるように、セレクタ５６´´´−２及び５７´´−２を制御する。
【０１８７】
ステップＳ１００６において、受信側の光伝送装置２の制御回路２１（１）は、誤り訂正復号回路９（図５）内に含まれる誤り訂正復号部の内、各サブキャリアに対して決定された冗長度に対応する誤り訂正復号部が選択されるようにセレクタを制御する。
【０１８８】
例えば、前述した第２の構成例（図２０）では、制御回路２１（１）は、復号回路９４１−１〜９４３−１の中から、サブキャリア1に対して決定された冗長度に対応する復号回路が選択されるように、セレクタ９７´´−１及び９８´´−１を制御する。また、制御回路２１（１）は、復号回路９４１−２〜９４３−２の中から、サブキャリア2に対して決定された冗長度に対応する符号化回路が選択されるように、セレクタ９７´´−２及び９８´´−２を制御する。
【０１８９】
また、第３の構成例（図２２Ａ及び図２２Ｂ）では、制御回路２１（１）は、復号回路９４１−１〜９４５−１の中から、サブキャリア1に対して決定された冗長度に対応する復号回路が選択されるように、セレクタ９７´´´−１及び９８´´´−１を制御する。また、制御回路２１（１）は、復号回路９４１−２〜９４５−２の中から、サブキャリア2に対して決定された冗長度に対応する復号回路が選択されるように、セレクタ９７´´´−２及び９８´´−２を制御する。
【０１９０】
誤り訂正復号回路が設定されると、受信側の光伝送装置２の制御回路２１（１）は、誤り訂正復号回路の設定完了通知を含む制御信号を送信側の光伝送装置２へ送信する。送信側の光伝送装置２の制御回路２１（１）は、受信側の光伝送装置２から送信された制御信号を受信する。そして、送信側の光伝送装置２から受信側の光伝送装置への光信号の送信が開始され（ステップＳ１００７）、一連の冗長度設定処理は終了する（ステップＳ１００８）。
【０１９１】
このように、実施形態に従った伝送方法に従えば、伝送品質が悪いサブキャリア対しては、より多くのビット数の誤り訂正符号が付加される。このため、スーパーチャネルに束ねられる各サブキャリアの伝送品質のばらつきに関わらず、スーパーチャネルの伝送性能は改善される。また、実施形態に従った伝送方法に従えば、所定の冗長度を超える誤り訂正符号がサブキャリア間で共有される。このため、各サブキャリアの送受信信号の冗長度は抑制され、スーパーチャネルの伝送性能は改善される。
【０１９２】
なお、前述した説明では、各サブキャリアに用いられた既知信号の送信は、受信側の光伝送装置２の指示に従って送信側の光伝送装置２が開始する（ステップＳ１００２）。しかしながら、実施形態によっては、送信側の光伝送装置２の設置後、送信側の光伝送装置２が各サブキャリアに用いられた既知信号を一定周期で送信するように構成してもよい。
【０１９３】
また、第１例では、誤り訂正符号付加前の各サブキャリア信号の伝送品質は、受信側の光伝送装置２が各サブキャリアに用いられた既知信号を送信側の光伝送装置２から受信し、該既知信号を測定することで取得される（ステップＳ１００２及びステップＳ１００３）。しかしながら、図２６に示す第２例のように、ステップＳ１００２及びステップＳ１００３での処理に代えて、ステップ３００２での処理が行われるように構成してもよい。
【０１９４】
図２６は、運用開始前に実行される冗長度設定処理の第２例のフロー図である。冗長度設定処理の第２例では、誤り訂正符号付加前の各サブキャリアの受信信号の伝送品質は、任意の計算機を用いて計算され、計算された伝送品質は、ステップＳ３００２において制御回路２１（１）に予め取得される。
【０１９５】
例えば、VPI Transmission Makerといったシミュレーションソフトを用いた計算に必要なネットワーク情報が計算機に入力され、誤り訂正符号付加前の各サブキャリアの受信信号の伝送品質が計算機により計算される。入力されるネットワーク情報は、例えば、各々の伝送路の伝送距離、光損失、及び光ファイバの種類である。また、入力されるネットワーク情報は、例えば、OADMノード２−１及び２−２といった各局舎におけるアンプのNoise Figure (NF)特性や出力レベル、及びOADM段数である。
【０１９６】
なお、実施形態によっては、様々な条件応じて複数パターンの伝送品質が予め計算され、計算された複数パターンの伝送品質がデータベース化されてもよい。そして、データベース化された複数パターンの伝送品質の中から所望の条件に適合する伝送品質が制御回路２１（１）に予め取得されるように構成してもよい。
【０１９７】
図２６において、ステップＳ３００３〜ステップＳ３００６での処理は、ステップＳ１００４〜ステップＳ１００７での処理と同様であってよい。
【０１９８】
冗長度設定処理の第２例に従えば、光伝送システム１の運用開始前に光伝送装置２間で光信号を送受信しなくてよい。
【０１９９】
なお、第１例及び第２例では、冗長度設定処理フロー全体の制御を受信側の光伝送装置２（OADMノード２−２）の制御回路２１（１）が受け持つ。しかしながら、図２７に示す第３例のように、一連の冗長度設定処理全体の制御を送信側の光伝送装置２（OADMノード２−１）の制御回路２１（１）が受け持つように構成してもよい。
【０２００】
図２７は、運用開始前に実行される冗長度設定処理の第３例のフロー図である。一連の冗長度設定処理が開始されると（ステップＳ４００１）、送信側の光伝送装置２の制御装置２１（１）は、各サブキャリア（SC）の主信号として既知信号を用いたスーパーチャネルの光信号を受信側の光伝送装置２へ送信する（ステップＳ４００２）。また、制御装置２１（１）は、送信された既知信号の伝送品質を測定する指示を含む制御信号を第２の制御信号送受信器３３（１）を介して受信側の光伝送装置２へ送信する。
【０２０１】
送信側の光伝送装置２から送信された各サブキャリアの既知信号は、受信側の光伝送装置２のトランスポンダ２７（Ｂ）−１−１〜２７（Ｂ）−ｎ−ｍに受信される。また、送信側の光伝送装置２から送信された制御信号は、アッテネータ２２（１）及び第１の制御回路３２（１）を介して制御回路２１（１）に受信される。制御回路２１（１）は、受信された制御信号に含まれる指示に従って、受信された各サブキャリアの既知信号のQ値をトランスポンダ２７（Ｂ）−１−１〜２７（Ｂ）−ｎ−ｍに測定させる。
【０２０２】
トランスポンダ２７（Ｂ）−１−１〜２７（Ｂ）−ｎ−ｍ内の各伝送品質測定部（図１３）は、対応するサブキャリアの既知信号のQ値を測定する。Q値は、伝送品質の一例である。また、伝送品質測定部により測定されるQ値は、誤り訂正符号が付加される前の既知信号のQ値である。トランスポンダ２７（Ｂ）−１−１〜２７（Ｂ）−ｎ−ｍの各伝送品質測定部により測定されたQ値は、制御回路２１（１）に送信される。制御回路２１（１）は、受信されたQ値を含む制御信号を第１の制御信号送受信器３２（１）及び第２の制御信号送受信器３３（２）を介して送信する。
【０２０３】
ステップＳ４００３において、送信側の光伝送装置２の制御回路２１（１）は、受信側の光伝送装置２から送信された制御信号を光アッテネータ２２（２）、第１の制御信号送受信器３２（２）、及び第２の制御信号送受信器３３（１）を介して受信する。制御回路２１（１）は、受信された制御信号に含まれる各サブキャリアの既知信号に対するQ値を用いて、各サブキャリアに対する冗長度の配分を決定する（ステップＳ４００４）。ステップＳ４００４で実行される冗長度配分処理は、図２４を参照しながら前述した処理と同様であってよい。
【０２０４】
ステップＳ４００５において、送信側の光伝送装置２の制御回路２１（１）は、各サブキャリアに対して決定された冗長度を受信側の光伝送装置２へフィードバックし、受信側の光伝送装置２内の誤り訂正復号回路９（図５）の設定を指示する。具体的には、制御回路２１（１）は、各サブキャリアに対して決定された冗長度と誤り訂正符号化回路の設定指示とを含む制御信号を制御信号送受信器３３（１）を介して送信する。
【０２０５】
送信側の光伝送装置２から送信された制御信号は、光アッテネータ２２（１）及び第１の制御信号送受信器３２（１）を介して受信側の光伝送装置２の制御回路２１（１）に受信される。受信側の光伝送装置２の制御回路２１（１）は、受信された制御信号に従って誤り訂正復号回路９を制御する。具体的には、制御回路２１（１）は、誤り訂正復号回路９内に含まれる誤り訂正復号部の内、各サブキャリアに対して決定された冗長度に対応する誤り訂正復号部が選択されるようにセレクタを制御する。誤り訂正復号回路が設定されると、制御回路２１（１）は、誤り訂正復号回路の設定完了通知を含む制御信号を送信側の光伝送装置２へ送信する。
【０２０６】
ステップＳ４００６において、送信側の光伝送装置２の制御回路２１（１）は、誤り訂正符号化回路５（図４）内に含まれる誤り訂正符号化部の内、各サブキャリアに対して決定された冗長度に対応する誤り訂正符号化部が選択されるようにセレクタを制御する。
【０２０７】
送信側の光伝送装置２の制御回路２１（１）は、ステップＳ４００５で受信側の光伝送装置２から送信された制御信号を受信する。そして、送信側の光伝送装置２から受信側の光伝送装置への光信号の送信を開始され（ステップＳ４００７）、一連の冗長度設定処理は終了する（ステップＳ４００８）。
【０２０８】
このように、冗長度設定処理の第３例においても、伝送品質が悪いサブキャリア対しては、より多くのビット数の誤り訂正符号が付加される。このため、スーパーチャネルに束ねられる各サブキャリアの伝送品質のばらつきに関わらず、スーパーチャネルの伝送性能は改善される。また、冗長度設定処理の第３例においても、所定の冗長度を超える誤り訂正符号がサブキャリア間で共有される。このため、各サブキャリアの送受信信号の冗長度は抑制され、スーパーチャネルの伝送性能は改善される。
【０２０９】
なお、前述した説明では、受信側の光伝送装置２は、受信された既知信号のQ値を送信側の光伝送装置２の指示に従って測定する。しかしながら、実施形態によっては、受信側の光伝送装置２は、受信側の光伝送装置２の設置後に任意のタイミングに受信した既知信号のQ値を測定し、測定されたQ値を送信側の光伝送装置へ送信するように構成してもよい。
【０２１０】
また、第３例では、誤り訂正符号付加前の各サブキャリア信号の伝送品質は、受信側の光伝送装置２が各サブキャリアに用いられた既知信号を送信側の光伝送装置２から受信し、該既知信号を測定することで取得される（ステップＳ４００２及びステップＳ４００３）。しかしながら、図２６に示した第２例のように、ステップＳ４００２及びステップＳ４００３での処理に代えて、ステップ３００２での処理が行われるように構成してもよい。すなわち、誤り訂正符号付加前の各サブキャリア信号の伝送品質は、任意の計算機を用いて計算され、計算された伝送品質が送信側の光伝送装置２の制御回路２１（１）に予め取得されるように構成してもよい。こうした構成によれば、光伝送システム１の運用開始前に光伝送装置２間で光信号を送受信しなくてよい。
【０２１１】
＜＜光伝送システムの運用中に実行される伝送方法の一例＞＞
次に、光伝送システムの運用中に実行される伝送方法の一例として、実施形態に従った光伝送装置が実行する冗長度設定処理を図２８〜図３０を参照しながら説明する。
【０２１２】
図２８は、運用中に実行される冗長度設定処理の第１例のフロー図である。冗長度設定処理の第１例では、一連の冗長度設定処理全体の制御を受信側の光伝送装置２（OADMノード２−２）の制御回路２１（１）が受け持つ。図２８に示す冗長度設定処理の第１例は、光伝送システムの運用中に所定の時間間隔で実行されてもよく、光伝送システム１の運用者の指示に基づき実行されてもよい。
【０２１３】
一連の冗長度設定処理が開始されると（ステップＳ５００１）、ステップＳ５００２及びステップＳ５００３において、受信側の光伝送装置２の制御回路２１（１）は、ステップＳ１００２及びステップＳ１００３（図２３）と同様の処理を実行する。ステップＳ５００２及びステップＳ５００３での処理が実行されることで、制御回路２１（１）は、各サブキャリアに用いられた既知信号に対する誤り訂正符号付加前のQ値を取得する。
【０２１４】
ステップＳ５００４において、受信側の光伝送装置の制御回路２１（１）は、各サブキャリアに対する冗長度の再配分を実施するか否かを判定する。
【０２１５】
光伝送システム１の運用中、スーパーチャネルに束ねられる各サブキャリアの信号の受信Q値は、様々な要因によって変動する。例えば、受信Q値が劣化する要因としては、光伝送装置２に含まれる光アンプ及び光部品の経時劣化や、伝送路の状態変化に起因する波形劣化（例えば、局舎内で運用中のファイバが作業者に触れられることで偏波変動が発生する）等が挙げられる。そこで、運用中に伝送品質が低下したサブキャリアが存在する場合、光伝送装置２は、各サブキャリアの伝送品質を保つために各サブキャリアに対する冗長度の再配分を実施する。また、運用中に何らかの要因で受信Q値が改善された場合には、サブキャリアの主信号に付加された誤り訂正符号の符号長は短くてもよく、送受信信号の冗長度は小さくてもよい。そこで、運用中に何らかの要因で受信Q値が改善された場合、光伝送装置２は、光信号が送受信される際の消費電力を抑制するために各サブキャリアに対する冗長度の再配分を実施する。
【０２１６】
例えば、受信側の光伝送装置の制御回路２１（１）は、取得されたサブキャリアの既知信号のQ値と冗長度・伝送品質対応テーブル２１１に記録されたQ値閾値とを式(9)を用いて比較する。そして、制御回路２１（１）は、式(9)を満足するQ値閾値の中で値が最も大きなQ値閾値に対応する冗長度を冗長度・伝送品質対応テーブル２１１から取得する。制御回路２１（１）は、サブキャリアの既知信号を基に取得されたQ値と、サブキャリアに現在設定されている冗長度に対応するQ値とを各サブキャリアについて比較する。
【０２１７】
サブキャリアに現在設定されている冗長度に対応するQ値よりも、サブキャリアの既知信号を基に取得されたQ値が小さい場合、当該サブキャリアの冗長度を、サブキャリアの既知信号を基に取得されたQ値に対応した冗長度に大きくすることが望ましい。そこで、制御回路２１（１）は、各サブキャリアに対する冗長度の再配分を実施すると判定し（ステップＳ５００４で“ＹＥＳ”）、ステップＳ５００５の処理に進む。
【０２１８】
また、サブキャリアに現在設定されている冗長度に対応するQ値よりも、サブキャリアの既知信号を基に取得されたQ値が大きい場合、当該サブキャリアの冗長度をサブキャリアの既知信号を基に取得されたQ値に対応した冗長度に小さくすることが望ましい。そこで、制御回路２１（１）は、各サブキャリアに対する冗長度の再配分を実施すると判定し（ステップＳ５００４で“ＹＥＳ”）、ステップＳ５００５の処理に進む。
【０２１９】
一方、現在設定されている冗長度に対応するQ値と既知信号を基に取得されたQ値とが全てのサブキャリアにおいて同じである場合、各サブキャリアの冗長度は変更しないことが望ましい。そこで、制御回路２１（１）は、各サブキャリアに対する冗長度の再配分を実施しないと判定し（ステップＳ５００４で“ＮＯ”）、一連の冗長度設定処理を終了する（ステップＳ５００８）。
【０２２０】
ステップＳ５００５において、受信側の光伝送装置２の制御回路２１（１）は、各サブキャリアに対する冗長度の再分配を実施する。ステップＳ５００５での処理の一例を図２９を参照しながら説明する。
【０２２１】
図２９は、実施形態に従った冗長度再配分処理の例示的なフロー図である。一連の冗長度再配分処理が開始されると（ステップＳ６００１）、制御回路２１（１）は、ステップＳ６００２の処理を行う。すなわち、制御回路２１（１）は、既知信号を基に取得されたQ値に対応する所望の冗長度を、各サブキャリアについて冗長度・伝送品質対応テーブル２１１内から夫々取得する（ステップＳ６００２）。ステップＳ６００２での冗長度の取得方法は、ステップＳ２００２での冗長度の取得方法と同様であってよい。
【０２２２】
制御回路２１（１）は、各サブキャリアについて夫々取得された冗長度の平均値を算出する。そして、制御回路２１（１）は、算出された平均値が各サブキャリアに設定可能な冗長度以下であるか否かを判定する（ステップＳ６００３）。ステップＳ６００３での判定方法は、ステップＳ２００３での判定方法と同様であってよい。
【０２２３】
各サブキャリアについて夫々取得された冗長度の平均値が各サブキャリアに設定可能な冗長度を超えると判定される場合（ステップＳ６００３で“ＮＯ”）、伝送不可と決定される（ステップＳ６００４）。すなわち、光伝送システム１の運用中の信号品質の劣化に起因してサブキャリアの信号にエラーが発生している可能性があるため、伝送不可と決定される。この場合、制御回路２１（１）は、制御信号等を用いてアラームを送信してもよい。
【０２２４】
一方、各サブキャリアについて夫々取得された冗長度の平均値が各サブキャリアに設定可能な冗長度以下であると判定される場合（ステップＳ６００３で“ＹＥＳ”）、一連の冗長度再配分処理は、ステップＳ６００５に進む。ステップＳ６００５において、制御回路２１（１）は、各サブキャリア間での冗長度の分配が必要か否かを判定する。具体的には、制御回路２１（１）は、各サブキャリアについて夫々取得された冗長度の中に、各サブキャリアに設定可能な冗長度を超える冗長度があるか否かを判定する。ステップＳ６００５での判定方法は、ステップＳ２００５での判定方法と同様であってよい。
【０２２５】
各サブキャリア間での冗長度の分配が不要と判定される場合（ステップＳ６００５で“ＮＯ”）、制御回路２１（１）は、各サブキャリアに対して設定される冗長度として、各サブキャリアに対する冗長度を、ステップＳ６００２で夫々取得された冗長度に決定し、一連の冗長度再配分処理を終了する（ステップＳ６００７）。
【０２２６】
一方、各サブキャリア間での冗長度の分配が必要と判定される場合（ステップＳ６００５で“ＹＥＳ”）、一連の冗長度再配分処理は、ステップＳ６００６に進む。ステップＳ６００６において、制御回路２１（１）は、各サブキャリアに対して設定される冗長度が各サブキャリアに設定可能な冗長度以下になるように、各サブキャリア間で冗長度の分配を実施し、各サブキャリアに対して設定される冗長度を決定する。ステップＳ６００６での冗長度の決定方法は、ステップＳ２００７での冗長度の決定方法と同様であってよい。
【０２２７】
各サブキャリアに対して設定される冗長度が決定されると、一連の冗長度再配分処理は終了する（ステップＳ６００７）。
【０２２８】
ステップＳ５００６において、受信側の光伝送装置２の制御回路２１（１）は、各サブキャリアに対して決定された冗長度を送信側の光伝送装置２へフィードバックし、送信側の光伝送装置２内の誤り訂正符号化回路５（図４）の設定を指示する。ステップＳ５００６で行われる処理の詳細は、ステップＳ１００５での処理と同様であってよい。
【０２２９】
ステップＳ５００７において、受信側の光伝送装置２の制御回路２１（１）は、誤り訂正復号回路９（図５）内に含まれる誤り訂正復号部の内、各サブキャリアに対して決定された冗長度に対応する誤り訂正復号部が選択されるようにセレクタを制御する。ステップＳ５００７で行われる処理の詳細は、ステップＳ１００６での処理と同様であってよい。
【０２３０】
誤り訂正復号回路が設定されると、受信側の光伝送装置２の制御回路２１（１）は、誤り訂正復号回路の設定完了通知を含む制御信号を送信側の光伝送装置２へ送信する。送信側の光伝送装置２の制御回路２１（１）は、受信側の光伝送装置２から送信された制御信号を受信する。そして、送信側の光伝送装置２から受信側の光伝送装置への光信号の送信が、冗長度が再配分された状態で再開され、一連の冗長度設定処理は終了する（ステップＳ５００８）。
【０２３１】
このように、実施形態に従った伝送方法に従えば、伝送品質が悪いサブキャリア対しては、より多くのビット数の誤り訂正符号が付加される。このため、スーパーチャネルに束ねられる各サブキャリアの伝送品質のばらつきに関わらず、スーパーチャネルの伝送性能は改善される。また、実施形態に従った伝送方法に従えば、スーパーチャネルに束ねられる各サブキャリアの信号の伝送品質が光伝送システムの運用中に変化した場合であっても、所定の冗長度を超える誤り訂正符号がサブキャリア間で共有される。このため、各サブキャリアの送受信信号の冗長度は抑制され、スーパーチャネルの伝送性能は改善される。
【０２３２】
なお、前述した説明では、各サブキャリアに用いられた既知信号の送信は、受信側の光伝送装置２の指示に従って送信側の光伝送装置２が開始する（ステップＳ５００２）。しかしながら、実施形態によっては、送信側の光伝送装置２は、各サブキャリアに用いられた既知信号を一定周期で送信するように構成してもよい。
【０２３３】
また、第１例では、冗長度設定処理フロー全体の制御を受信側の光伝送装置２（OADMノード２−２）の制御回路２１（１）が受け持つ。しかしながら、図３０に示す第２例のように、一連の冗長度設定処理全体の制御を送信側の光伝送装置２（OADMノード２−１）の制御回路２１（１）が受け持つように構成してもよい。
【０２３４】
図３０は、運用中に実行される冗長度設定処理の第２例のフロー図である。図２８に示す冗長度設定処理の第２例は、光伝送システムの運用中に所定の時間間隔で実行されてもよく、光伝送システム１の運用者の指示に基づき実行されてもよい。
【０２３５】
一連の冗長度設定処理が開始されると（ステップＳ７００１）、ステップＳ７００２及びステップＳ７００３において、送信側の光伝送装置２の制御回路２１（１）は、ステップＳ４００２及びステップＳ４００３（図２７）と同様の処理を実行する。ステップＳ７００２及びステップＳ７００３での処理が実行されることで、制御回路２１（１）は、各サブキャリアに用いられた既知信号に対する誤り訂正符号付加前のQ値を取得する。
【０２３６】
ステップＳ７００４において、送信側の光伝送装置の制御回路２１（１）は、各サブキャリアに対する冗長度の再配分を実施するか否かを判定する。ステップＳ７００４での判定方法は、ステップＳ５００４（図２８）での判定方法と同様であってよい。
【０２３７】
各サブキャリアに対する冗長度の再配分を実施しないと判定された場合（ステップＳ７００４で“ＮＯ”）、制御回路２１（１）は、一連の冗長度設定処理を終了する（ステップＳ７００８）。一方、各サブキャリアに対する冗長度の再配分を実施すると判定された場合（ステップＳ７００４で“ＹＥＳ”）、制御回路２１（１）は、ステップＳ７００５の冗長度設定処理に進む。ステップＳ７００５の冗長度設定処理は、図２９を参照しながら前述した処理と同様であってよい。
【０２３８】
ステップＳ７００６において、送信側の光伝送装置２の制御回路２１（１）は、各サブキャリアに対して決定された冗長度を受信側の光伝送装置２へフィードバックし、受信側の光伝送装置２内の誤り訂正復号回路９（図５）の設定を指示する。ステップＳ７００６で行われる処理の詳細は、ステップＳ４００５（図２７）での処理と同様であってよい。
【０２３９】
ステップＳ７００７において、送信側の光伝送装置２の制御回路２１（１）は、誤り訂正符号化回路５（図４）内に含まれる誤り訂正符号化部の内、各サブキャリアに対して決定された冗長度に対応する誤り訂正符号化部が選択されるようにセレクタを制御する。
【０２４０】
送信側の光伝送装置２の制御回路２１（１）は、ステップＳ７００６で受信側の光伝送装置２から送信された制御信号を受信する。そして、送信側の光伝送装置２から受信側の光伝送装置への光信号の送信が、冗長度が再配分された状態で再開され、一連の冗長度設定処理は終了する（ステップＳ７００８）。
【０２４１】
このように、第２例の伝送方法においても、伝送品質が悪いサブキャリア対しては、より多くのビット数の誤り訂正符号が付加される。このため、スーパーチャネルに束ねられる各サブキャリアの伝送品質のばらつきに関わらず、スーパーチャネルの伝送性能は改善される。また、第２例の伝送方法においても、スーパーチャネルに束ねられる各サブキャリアの信号の伝送品質が光伝送システムの運用中に変化した場合であっても、所定の冗長度を超える誤り訂正符号がサブキャリア間で共有される。このため、各サブキャリアの送信信号の冗長度は抑制され、スーパーチャネルの伝送品質は改善される。
【０２４２】
以上説明した実施例を含む実施形態に関し、更に以下の付記を開示する。
（付記１）
第１の光伝送装置と第２の光伝送装置との間でスーパーチャネルの光信号を送受信する光伝送システムであって、
前記第１の光伝送装置は、
所定の伝送品質に対応した符号長の誤り訂正符号を主信号に付加することで、前記スーパーチャネルの光信号に束ねられるサブキャリア毎に所望の冗長度の送信信号を生成し、
付加された前記誤り訂正符号の内、所定の冗長度を超える部分を前記サブキャリア間で分配することで、前記所定の冗長度の送信信号を前記サブキャリア毎に生成し、
前記所定の冗長度の送信信号を含む前記サブキャリアが束ねられた前記スーパーチャネルの光信号を前記第２の光伝送装置へ送信し、
前記第２の光伝送装置は、
前記第１の光伝送装置から受信された前記スーパーチャネルの光信号に束ねられた前記サブキャリア夫々の前記所定の冗長度の受信信号の内、前記サブキャリア夫々の所望の冗長度を超える部分を前記サブキャリア間で分配することで、前記所望の冗長度の受信信号を前記サブキャリア毎に生成し、
前記所望の冗長度の受信信号に含まれる前記誤り訂正符号を用いて前記サブキャリア毎に前記主信号を復号する、
光伝送システム。
（付記２）
前記第２の光伝送装置は、
既知信号が用いられた前記サブキャリア毎に、前記誤り訂正符号が付加される前の伝送品質を測定し、
測定された前記伝送品質に従って前記所望の冗長度を前記サブキャリア毎に決定し、
前記サブキャリア毎に決定された前記所望の冗長度を第１の光伝送装置へ送信し、
前記第１の光伝送装置は、
前記第２の光伝送装置から受信された前記所望の冗長度に従って前記所望の冗長度を前記サブキャリア毎に決定する、
付記１に記載の光伝送システム。
（付記３）
前記第１及び第２の光伝送装置は、前記光伝送システムのネットワーク情報を用いて計算された前記所望の冗長度を前記サブキャリア毎に予め取得する、
付記１に記載の光伝送システム。
（付記４）
前記第１及び第２の光伝送装置は、前記所望の冗長度と前記所定の冗長度との差分値の幅を有するバスを用いて前記サブキャリア間での前記分配を実行する、
付記１〜３の何れか一項に記載の光伝送システム。
（付記５）
前記第１及び第２の光伝送装置は、複数の伝送品質に夫々対応して予め備えられた複数の冗長度の中から前記所望の冗長度を選択する、
付記１〜４の何れか一項に記載の光伝送システム。
（付記６）
所定の伝送品質に対応した符号長の誤り訂正符号を主信号に付加することで、スーパーチャネルの光信号に束ねられるサブキャリア毎に所望の冗長度の送信信号を生成し、付加された前記誤り訂正符号の内、所定の冗長度を超える部分を前記サブキャリア間で分配することで、前記所定の冗長度の送信信号を前記サブキャリア毎に生成する誤り訂正符号化回路を含む、
光伝送装置。
（付記７）
既知信号が用いられた前記サブキャリア毎に測定された、前記誤り訂正符号が付加される前の伝送品質に従って、前記所望の冗長度を前記サブキャリア毎に決定し、前記サブキャリア毎に決定された前記所望の冗長度に従って前記サブキャリア間での前記分配が実行されるように前記誤り訂正符号化回路を制御する制御回路を含む、
付記６に記載の光伝送装置。
（付記８）
前記制御回路は、前記光伝送システムのネットワーク情報を用いて計算された前記所望の冗長度を前記サブキャリア毎に予め取得し、前記サブキャリア毎に取得された前記所望の冗長度に従って前記サブキャリア間での前記分配が実行されるように前記誤り訂正符号化回路を制御する制御回路を含む、
付記６に記載の光伝送装置。
（付記９）
前記誤り訂正符号化回路は、前記所望の冗長度と前記所定の冗長度との差分値の幅を有するバスを用いて前記サブキャリア間での前記分配を実行する、
付記６〜８の何れか一項に記載の光伝送装置。
（付記１０）
前記制御回路は、複数の伝送品質に夫々対応して予め備えられた複数の冗長度の中から前記所望の冗長度を選択する、
付記７〜９の何れか一項に記載の光伝送装置。
（付記１１）
所定の伝送品質に対応した符号長の誤り訂正符号を主信号に付加することで、スーパーチャネルの光信号に束ねられるサブキャリア毎に所望の冗長度の送信信号を生成し、
付加された前記誤り訂正符号の内、所定の冗長度を超える部分を前記サブキャリア間で分配することで、前記所定の冗長度の送信信号を前記サブキャリア毎に生成する、
光伝送装置が実行する伝送方法。
（付記１２）
既知信号が用いられた前記サブキャリア毎に測定された、前記誤り訂正符号が付加される前の伝送品質に従って前記所望の冗長度を前記サブキャリア毎に決定し、
前記サブキャリア毎に決定された前記所望の冗長度に従って前記サブキャリア間での前記分配を実行する、
付記１１に記載の伝送方法。
（付記１３）
前記光伝送装置を含む光伝送システムのネットワーク情報を用いて計算された前記所望の冗長度を前記サブキャリア毎に予め取得し、
前記サブキャリア毎に取得された前記所望の冗長度に従って前記サブキャリア間での前記分配を実行する、
付記１１に記載の伝送方法。
（付記１４）
前記所望の冗長度と前記所定の冗長度との差分値の幅を有するバスを用いて前記サブキャリア間での前記分配を実行する、
付記１１〜１３の何れか一項に記載の伝送方法。
（付記１５）
複数の伝送品質に夫々対応して予め備えられた複数の冗長度の中から前記所望の冗長度を選択する、
付記１１〜１４の何れか一項に記載の伝送方法。
【符号の説明】
【０２４３】
１      光伝送システム
２−１、２−２      OADMノード
３      中継ノード
２      光伝送装置
２１（１）、２１（２）      制御回路
２２（１）、２２（２）      光アッテネータ
２３（１）、２３（２）      プリアンプ
２４（１）、２４（２）      光分岐スイッチ
２５（１）−１〜２５（１）−ｎ、２５（２）−１〜２５（２）−ｎ      光アンプ
２６（１）−１〜２６（１）−ｎ、２６（２）−１〜２６（２）−ｎ      光カプラ
２７（Ａ）−１−１〜２７（Ａ）−ｎ−ｍ、２７（Ｂ）−１−１〜２７（Ｂ）−ｎ−ｍ      トランスポンダ
２８（１）−１〜２８（１）−ｎ、２８（２）−１〜２８（２）−ｎ      光カプラ
２９（１）−１〜２９（１）−ｎ、２９（２）−１〜２９（２）−ｎ      光アンプ
３０（１）、３０（２）      光挿入スイッチ
３１（１）、３１（２）      ポストアンプ
３２（１）、３２（２）      第１の制御信号送受信器
３３（１）、３３（２）      第２の制御信号送受信器
２７１−１−１、２７１−１−２、２７２−２−１、２７２−２−２      フレーマ
２７２、２７２−１、２７２−２      送信信号処理回路
２７３−１、２７３−２      デジタル・アナログ変換器
２７４−１、２７４−２      光変調器
２７５−１、２７５−２      レーザーダイオード
２７６−１、２７６−２      光復調器
２７７−１、２７７−２      レーザーダイオード
２７８−１、２７８−２      アナログ・デジタル変換器
２７９、２７９−１、２７９−２      受信信号処理回路
５、５−１、５−２、５´−１、５´−２、５´´−１、５´´−２、５´´´−１、５´´´−２      誤り訂正符号化回路
５１−１、５１−２、５１´−１、５１´−２、５１´´−１、５１´´−２、５１´´´−１、５１´´´−２      誤り訂正符号化部
５１１−１、５１１−２、５１２−１、５１２−２、５１３−１、５１３−２、５１４−１、５１４−２、５１５−１、５１５−２      符号化回路
５２−１、５２−２、５２´−１、５２´´−２、５２´´´−１、５２´´´−２      誤り訂正符号分配部
５２１−１、５２１−２、５２２−１、５２２−２      分配器
５３−１、５３−２、５３´−２、５３´´−１、５３´´´−１、５３´´´−２      誤り訂正符号結合部
５３１−１、５３１−２、５３２−１、５３２−２      結合器
５４´−1、５４´−２、５５´−１、５５´―２      FIFOバッファ
５６´´−１、５６´´−２、５６´´´−１、５６´´´−２      第１のセレクタ
５７´´−１、５７´´−２、５７´´´−１、５７´´´−２      第２のセレクタ
６      予等化回路
７      等化回路
８      搬送波位相復元回路
９、９−１、９−２、９´−１、９´−２、９´´−１、９´´−２、９´´´−１、９´´´−２      誤り訂正復号回路
９１−１、９１−２      伝送品質測定部
９２−１、９２−２、９２´−２、９２´´−１、９２´´´−１、９２´´´−２      誤り訂正符号分配部
９２１−１、９２１−２、９２２−１、９２２−２      分配器
９３−１、９３−２、９３´−１、９３´´−２、９３´´´−１、９３´´´−２      誤り訂正符号結合部
９３１−１、９３１−２、９３２−１、９３２−２      結合部
９４−１、９４−２、９４´−１、９４´−２、９４´´−１、９４´´−２、９４´´´−１、９４´´´−２      誤り訂正復号部
９４１−１、９４１−２、９４２−１、９４２−２、９４３−１、９４３−２、９４４−１、９４４−２、９４５−１、９４５−２      復号回路
９５´−1、９５´−２、９６´−１、９６´―２      FIFOバッファ
９７´´−１、９７´´−２、９７´´´−１、９７´´´−２      第３のセレクタ
９８´´−１、９８´´−２、９８´´´−１、９８´´´−２      第４のセレクタ
１０−１、１０−２、１０´−１、１０´´−２、１０´´´−１、１０´´´−２、１１−１、１１−２、１１´−２、１１´´−１、１１´´´−１、１１´´´−２      バス
【図１】
0006492774.tif 000011
【図２Ａ】
0006492774.tif 000012
【図２Ｂ】
0006492774.tif 000013
【図３】
0006492774.tif 000014
【図４】
0006492774.tif 000015
【図５】
0006492774.tif 000016
【図６】
0006492774.tif 000017
【図７】
0006492774.tif 000018
【図８】
0006492774.tif 000019
【図９】
0006492774.tif 000020
【図１０】
0006492774.tif 000021
【図１１】
0006492774.tif 000022
【図１２】
0006492774.tif 000023
【図１３】
0006492774.tif 000024
【図１４】
0006492774.tif 000025
【図１５】
0006492774.tif 000026
【図１６】
0006492774.tif 000027
【図１７】
0006492774.tif 000028
【図１８】
0006492774.tif 000029
【図１９】
0006492774.tif 000030
【図２０】
0006492774.tif 000031
【図２１Ａ】
0006492774.tif 000032
【図２１Ｂ】
0006492774.tif 000033
【図２２Ａ】
0006492774.tif 000034
【図２２Ｂ】
0006492774.tif 000035
【図２３】
0006492774.tif 000036
【図２４】
0006492774.tif 000037
【図２５】
0006492774.tif 000038
【図２６】
0006492774.tif 000039
【図２７】
0006492774.tif 000040
【図２８】
0006492774.tif 000041
【図２９】
0006492774.tif 000042
【図３０】
0006492774.tif 000043